【誤訳訂正書】
【提出日】平成23年8月19日(2011.8.19)
【誤訳訂正１】
【訂正対象書類名】特許請求の範囲
【訂正対象項目名】全文
【訂正方法】変更
【訂正の内容】
【特許請求の範囲】
【請求項１】
ネットワークにアクセス端末を接続させる方法であり、
前記アクセス端末が接続を持つ第一のアクセスポイントに接続要求を伝送すること、前記接続要求は、接続要求メッセージ及び第二のアクセスポイントの識別子を含み、それによって、前記アクセス端末が第二のアクセスポイントとの稼働接続を確立しようとする、
前記第一のアクセスポイントから接続応答メッセージを受取ること、前記接続応答メッセージは、前記第一のアクセスポイントにより転送され、前記第二のアクセスポイントによって前記アクセス端末に割り当てられた複数の制御チャネル資源に付いての情報を含む、ここにおいて、前記割り当てられた複数の制御チャネル資源は、少なくとも制御チャネルサイズ及び制御チャネルパラメータのうちの少なくとも１つを含む、
前記接続応答メッセージ中に提供され、前記割り当てられた複数の制御チャネル資源によって、前記アクセス端末が前記第二のアクセスポイントと稼動接続を確立すること、及び
前記受取った接続応答メッセージに基づいて、前記アクセス端末が複数の稼働接続を持つ複数のアクセスポイントを示し、前記アクセス端末によって保持される情報の集合を更新すること、
を含む方法。
【請求項２】
接続要求メッセージは前記識別子によって識別された第二のアクセスポイントに前記第一のアクセスポイントを通して向けられる、請求項１記載の方法。
【請求項３】
接続要求を伝送する前に、前記第二のアクセスポイントに配送する予定にある前記接続要求メッセージを生成することをさらに含む、請求項１記載の方法。
【請求項４】
前記接続要求は、前記第一のアクセスポイントによって前記アクセス端末に割り当てられた複数の資源を示す資源情報を、さらに含む、請求項１記載の方法。
【請求項５】
前記接続要求を伝送する前に、第二のアクセスポイントからの信号が所定の閾値以上であることを判別することをさらに含む、請求項１記載の方法。
【請求項６】
前記接続要求は前記アクセス端末との稼働接続を持つ多数の異なるアクセスポイントによって前記アクセス端末に現在割当てられた複数のＭＡＣ資源のリストをさらに含む、請求項１記載の方法。
【請求項７】
前記情報の集合を更新することは第二のアクセスポイントによってアクセス端末に割当てられた複数の資源を示す情報を、前記アクセス端末によって保持される情報の前記集合に含めることを含む、請求項６記載の方法。
【請求項８】
第一のアクセスポイントによって割当てられた複数の資源の変更を要求するために資源更新要求メッセージを前記第一のアクセスポイントに送ることをさらに含む、請求項７記載の方法。
【請求項９】
前記資源更新要求メッセージを送る前に、第二のアクセスポイントによってアクセス端末に割当てられた複数の資源が第一のアクセスポイントによってアクセス端末に割当てられた複数の資源と一致していないかどうかを判定することをさらに含み、そして
前記資源更新要求メッセージを送る前記ステップは第二のアクセスポイントによってアクセス端末に割当てられた複数の資源が第一のアクセスポイントによってアクセス端末に割当てられた複数の資源と一致していないことを判定することに応答する、請求項８記載の方法。
【請求項１０】
前記第一のアクセスポイントによってアクセス端末に割当てられた複数の新しい資源を示す前記資源更新要求メッセージに対する応答を受取ることをさらに含む、請求項８記載の方法。
【請求項１１】
前記アクセス端末が稼働接続を持つ複数のアクセスポイントを示す情報の前記集合は前記アクセス端末に記憶された稼働接続情報集合であり、前記稼働接続情報集合は前記アクセス端末が稼働接続を持つ複数のアクセスポイントの全リストを含み、前記全リストは前記アクセス端末のみに保持される、請求項１０記載の方法。
【請求項１２】
前記稼働接続情報集合は複数の異なるアクセスポイントによって前記アクセス端末に割当てられた複数の資源に対応する情報を含み、複数の割当資源に関する情報を含む前記稼働接続情報集合は、前記アクセス端末のみに記憶される、請求項１１記載の方法。
【請求項１３】
ネットワークにおいて使用するためのアクセス端末であり、
前記アクセス端末が接続を持つ第一のアクセスポイントに接続要求を伝送し、前記接続要求は、接続要求メッセージ及び第二のアクセスポイントの識別子を含み、それによって、前記アクセス端末が第二のアクセスポイントとの稼働接続を確立しようとする無線送信器モジュール、
前記第一のアクセスから接続応答メッセージを受取るための無線受信器モジュール、前記接続応答メッセージは、前記第一のアクセスポイントにより転送され、前記第二のアクセスポイントによって前記アクセス端末に割り当てられた複数の制御チャネル資源に付いての情報を含む、ここにおいて、前記割り当てられた複数の制御チャネル資源は、少なくとも制御チャネルサイズ及び制御チャネルパラメータのうちの少なくとも１つを含む、
前記接続応答メッセージ中に提供され、前記割り当てられた複数の制御チャネル資源によって、前記アクセス端末を前記第二のアクセスポイントと稼動接続を確立する接続モジュール、
前記アクセス端末が複数の稼働接続を持つ複数のアクセスポイントを示す情報の集合を含むメモリー、及び
受信接続応答メッセージに基づいて、前記アクセス端末が複数の稼働接続を持つ複数のアクセスポイントを示す情報の前記集合を更新するための接続管理モジュールを具備するアクセス端末。
【請求項１４】
前記接続要求メッセージは前記識別子によって識別された第二のアクセスポイントに前記第一のアクセスポイントを通して向けられる、請求項１３記載のアクセス端末。
【請求項１５】
前記第二のアクセスポイントに配送する予定にある前記接続要求メッセージを生成するための接続要求メッセージ生成モジュールをさらに含む、請求項１３記載のアクセス端末。
【請求項１６】
前記接続要求は、前記第一のアクセスポイントによって前記アクセス端末に割り当てられた複数の資源を示す資源情報を、さらに含む、請求項１３記載のアクセス端末。
【請求項１７】
第二のアクセスポイントからの信号が所定の閾値以上であることを判別するための電力測定モジュールをさらに含む、請求項１３記載のアクセス端末。
【請求項１８】
前記接続要求は前記アクセス端末に現在割当てられた複数のＭＡＣ資源のリストをさらに含む、請求項１３記載のアクセス端末。
【請求項１９】
前記接続管理モジュールに記憶された情報の前記集合は、情報の前記集合において、第二のアクセスポイントによってアクセス端末に割当てられた複数の資源を示す情報を含む、請求項１３記載のアクセス端末。
【請求項２０】
無線送信器モジュールは第一のアクセスポイントによって割当てられた複数の資源の変更を要求するために資源更新要求メッセージを前記第一のアクセスポイントに送る、請求項１９記載のアクセス端末。
【請求項２１】
第二のアクセスポイントによってアクセス端末に割当てられた複数の資源が第一のアクセスポイントによってアクセス端末に割当てられた複数の資源と一致していないかどうかを判定するための割当評価モジュール、及び
第二のアクセスポイントによってアクセス端末に割当てられた複数の資源が第一のアクセスポイントによってアクセス端末に割当てられた複数の資源と一致していないかどうかを判定する前記割当評価モジュールに応答して、前記資源更新要求メッセージを送ることを制御するための資源更新要求メッセージ制御モジュールを具備する、請求項２０記載のアクセス端末。
【請求項２２】
前記無線受信器モジュールは前記第一のアクセスポイントによって前記アクセス端末に割当てられていた複数の新しい資源を示す前記資源更新要求メッセージに対する応答を受取る、請求項２０記載のアクセス端末。
【請求項２３】
前記接続管理モジュールは前記第一のアクセスポイントによって前記アクセス端末に割当てられた複数の新しい資源を更新する、請求項２２記載のアクセス端末。
【請求項２４】
前記アクセス端末が稼働接続を持つアクセスポイントを示す情報の前記集合は前記アクセス端末に記憶された稼働接続情報集合であり、前記稼働接続情報集合は前記アクセス端末が稼働接続を持つ複数のアクセスポイントの全リストを含み、前記全リストは前記アクセス端末のみに保持される、請求項１８記載のアクセス端末。
【請求項２５】
前記稼働接続情報集合は複数の異なるアクセスポイントによって前記アクセス端末に割当てられた複数の資源に対応する情報を含み、複数の割当資源に関する情報を含む前記稼働接続情報集合は、前記アクセス端末のみに記憶される、請求項２４記載のアクセス端末。
【請求項２６】
ネットワークにおいて使用するためのアクセス端末であって、
前記接続要求は、接続要求メッセージ及び第二のアクセスポイントの識別子を含み、それによって、前記アクセス端末が第二のアクセスポイントとの稼働接続を確立しようとする無線送信器手段、
前記第一のアクセスから接続応答メッセージを受取るための手段、前記接続応答メッセージは、前記第一のアクセスポイントにより転送され、前記第二のアクセスポイントによって前記アクセス端末に割り当てられた複数の制御チャネル資源に付いての情報を含む、ここにおいて、前記割り当てられた複数の制御チャネル資源は、少なくとも制御チャネルサイズ及び制御チャネルパラメータのうちの少なくとも１つを含む、
前記接続応答メッセージ中に提供され、前記割り当てられた複数の制御チャネル資源によって、前記アクセス端末が前記第二のアクセスポイントと稼動接続を確立する手段、
前記アクセス端末が複数の稼働接続を持つ複数のアクセスポイントを示す情報の集合を含むメモリー手段、および
受信接続応答メッセージに基づいて、前記アクセス端末が複数の稼働接続を持つ複数のアクセスポイントを示す情報の前記集合を更新するための手段を具備するアクセス端末。
【請求項２７】
前記集合を更新するための手段に記憶される情報の前記集合は、前記第二のアクセスポイントによって前記アクセス端末に割り当てられた複数の資源を含む、請求項２６記載のアクセス端末。
【請求項２８】
前記アクセス端末が稼働接続を持つアクセスポイントを示す情報の前記集合は前記アクセス端末に記憶された稼働接続情報集合であり、前記稼働接続情報集合は前記アクセス端末が稼働接続を持つ複数のアクセスポイントの全リストを含み、前記全リストは前記アクセス端末のみに保持される、請求項２７記載のアクセス端末。
【請求項２９】
前記稼働接続情報集合は複数の異なるアクセスポイントによって前記アクセス端末に割当てられた複数の資源に対応する情報を含み、複数の割当資源に関する情報を含む前記稼働接続情報集合は、前記アクセス端末のみに記憶される、請求項２８記載のアクセス端末。
【請求項３０】
前記無線送信器手段は第一のアクセスポイントによって割当てられた複数の資源の変更を要求するために資源更新要求メッセージを前記第一のアクセスポイントに送る、請求項２９記載のアクセス端末。
【請求項３１】
アクセス端末において使用するためのプロセッサーを含む装置であって、プロセッサーが、
前記アクセス端末が接続を持つ第一のアクセスポイントに接続要求を伝送し、前記接続要求は、接続要求メッセージ及び第二のアクセスポイントの識別子を含み、それによって、前記アクセス端末が第二のアクセスポイントとの稼働接続を確立しようとする、
前記第一のアクセスから接続応答メッセージを受取り、前記接続応答メッセージは、前記第一のアクセスポイントにより転送され、前記第二のアクセスポイントによって前記アクセス端末に割り当てられた複数の制御チャネル資源に付いての情報を含む、ここにおいて、前記割り当てられた複数の制御チャネル資源は、少なくとも制御チャネルサイズ及び制御チャネルパラメータのうちの少なくとも１つを含む、
前記接続応答メッセージ中に提供され、前記割り当てられた複数の制御チャネル資源によって、前記アクセス端末を前記第二のアクセスポイントと稼動接続を確立し、
そして
受信接続応答メッセージに基づいて、前記アクセス端末が稼働接続を持つ複数のアクセスポイントを示し、前記アクセス端末によって保持される情報の集合を更新するように構成される装置。
【請求項３２】
情報の前記集合を更新している間に、情報の前記集合に前記第二のアクセスポイントによって前記アクセス端末に割り当てられた複数の資源を示す情報を含めるように、前記プロセッサは、さらに構成される、請求項３１記載の装置。
【請求項３３】
前記アクセス端末が稼働接続を持つアクセスポイントを示す情報の前記集合は前記アクセス端末に記憶された稼働接続情報集合であり、前記稼働接続情報集合は前記アクセス端末が稼働接続を持つ複数のアクセスポイントの全リストを含み、前記全リストは前記アクセス端末のみに保持される、請求項３２記載の装置。
【請求項３４】
前記稼働接続情報集合は複数の異なるアクセスポイントによって前記アクセス端末に割当てられた複数の資源に対応する情報を含み、複数の割当資源に関する情報を含む前記稼働接続情報集合は、前記アクセス端末のみに記憶される、請求項３３記載の装置。
【請求項３５】
前記プロセッサーはさらに第一のアクセスポイントによって割当てられる複数の資源の変更を要求するために資源更新要求メッセージを前記第一のアクセスポイントに送るように構成される、請求項３４記載の装置。
【請求項３６】
アクセス端末に含まれるプロセッサによって命令が実行されたとき、前記プロセッサが、複数の他の通信デバイスと前記アクセス端末を接続するための方法を実施するためのマシン実行可能な命令を具現化するコンピューター可読媒体であって、その方法は、
前記アクセス端末が接続を持つ第一のアクセスポイントに接続要求を伝送すること、前記接続要求は、接続要求メッセージ及び第二のアクセスポイントの識別子を含み、それによって、前記アクセス端末が第二のアクセスポイントとの稼働接続を確立しようとする、
前記第一のアクセスポイントから接続応答メッセージを受取ること、前記接続応答メッセージは、前記第一のアクセスポイントにより転送され、前記第二のアクセスポイントによって前記アクセス端末に割り当てられた複数の制御チャネル資源に付いての情報を含む、ここにおいて、前記割り当てられた複数の制御チャネル資源は、少なくとも制御チャネルサイズ及び制御チャネルパラメータのうちの少なくとも１つを含む、
前記接続応答メッセージ中に提供され、前記割り当てられた複数の制御チャネル資源によって、前記アクセス端末を前記第二のアクセスポイントと稼動接続を確立すること、及び
前記受取った接続応答メッセージに基づいて、前記アクセス端末が複数の稼働接続を持つ複数のアクセスポイントを示し、前記アクセス端末によって保持される情報の集合を更新すること、
を含むコンピューター可読媒体。
【請求項３７】
情報の前記集合を更新することは、情報の前記集合に前記第二のアクセスポイントによって前記アクセス端末に割り当てられた複数の資源を示す情報を含めるようにすること
を含む、請求項３６記載のコンピューター可読媒体。
【請求項３８】
前記アクセス端末が稼働接続を持つアクセスポイントを示す情報の前記集合は前記アクセス端末に記憶された稼働接続情報集合であり、前記稼働接続情報集合は前記アクセス端末が稼働接続を持つ複数のアクセスポイントの全リストを含み、前記全リストは前記アクセス端末のみに保持される、請求項３７記載のコンピューター可読媒体。
【請求項３９】
前記稼働接続情報集合は複数の異なるアクセスポイントによって前記アクセス端末に割当てられた複数の資源に対応する情報を含み、複数の割当資源に関する情報を含む前記稼働接続情報集合は、前記アクセス端末のみに記憶される、請求項３８記載のコンピューター可読媒体。
【請求項４０】
第一のアクセスポイントによって割当てられた複数の資源の変更を要求するために資源更新要求メッセージを前記第一のアクセスポイントに送るためのマシン実行可能な命令を具現化することをさらに含む、請求項３９記載のコンピューター可読媒体。
【誤訳訂正２】
【訂正対象書類名】明細書
【訂正対象項目名】全文
【訂正方法】変更
【訂正の内容】
【発明の詳細な説明】
【発明の名称】通信接続関連情報の集合を管理するための方法及び装置
【技術分野】
【０００１】
本出願は引例によってここに明確に組込まれる「稼働集合を管理するための方法及び装置（A METHOD AND APPARATUS FOR MANAGING AN ACTIVE SET）」と題し、２００６年７月７日に出願された米国の仮特許出願番号第６０／８１１，８７７号の優先権を主張する。
【０００２】
本発明は無線通信のための方法及び装置に関し、特にアクセス端末の稼働集合管理に関係する方法及び装置に関係する。
【背景技術】
【０００３】
複数のアクセス端末（ＡＴ）にサービスを行う多元アクセスポイント（ＡＰ）を持つ移動無線通信システムを考える。多くのシステムは稼働集合を持ち、それは複数の資源をＡＴに割当てた複数のＡＰの集合である。大部分の無線システム（ＣＤＭＡ２０００、ＧＳＭ（登録商標）／ＷＣＤＭＡ等）において、この稼働集合は個々のＡＰからＡＴによって受取られる信号強度に基づいてネットワークで決定される（ＡＴはパイロット強度測定メッセージ（Pilot Strength Measurement Message：ＰＳＭＭ）において信号強度を通報する）。ネットワークによる稼働集合のこの決定は次の問題を有する：
１．稼働集合の調整のために複数のＡＰ間で動作する稼働集合制御プロトコルを必要とする。これは、特に、稼働集合への追加が稼働集合に亘って複数のＭＡＣ／ＰＨＹパラメータの調整を同じく包含するときＡＰ間相互作用の複雑さを増大させる。
【０００４】
２．ＡＴはシステムの中を動くので、稼働集合制御プロトコルの状態は制御器間で転送されなければならない。これはハンドオフの複雑さを増大させ、そして設計に依存して、稼働集合制御プロトコルが凍結されなければならない時間区間を造出する。
【０００５】
現在技術の呼出の流れを図１の図面５００についてこれから述べる。図面５００はアクセス端末（ＡＴ）５０２、第一のアクセスポイントＡＰａ ５０４、第二のアクセスポイントＡＰｂ ５０６、及びアンカーＡＰ ５０８を含む。
【０００６】
Ｐａ ５０４が現在サービスしているＡＰであり、そしてＡＴ ５０２がＡＰｂ ５０６を稼働集合に（例えばＡＰｂ ５０６からの強い信号強度を測定した後で）付加することを望む場合を考える。この例では、ＡＰｂ ５０６から伝送されたパイロット信号５１０はＡＴ ５０２によって検出され、且つ測定され、そしてＡＴ ５０２はブロック５１２で示したように強い信号強度を測定する。
【０００７】
１．ＡＴ ５０２は異なる複数のパイロットからの信号強度を含むパイロット・レポート（PilotReport）５１４を送る。
【０００８】
２．ＡＰａ ５０４はこのパイロット・レポート５１４を受取り、そしてメッセージを信号５１６で示したアンカーＡＰ（AnchorAP）５０８に転送する。アンカーＡＰ ５０８はメッセージを解析し、そしてブロック５１８で示したようにＡＰｂ ５０６を稼働集合に付加することを決定する。ＡＰａ ５０４及びＡＰｂ ５０６が異なる版の複数のメッセージ（或いは、複数のプロトコル）を使用するならば、アンカーＡＰ ５０８は双方の版のメッセージ・フォーマットを解析することができる。
【０００９】
３．アンカーＡＰ ５０８は信号５２０で示したようにＡＴによって使用される他の複数の資源のリストと共に、稼働集合付加要求（ActiveSetAddRequest）をＡＰｂ ５０６へ送る。
【００１０】
４．ＡＰｂ ５０６は新しいＭＡＣ ＩＤ（或いは、接続ＩＤ）をＡＴ ５０２に割当て、そしてブロック５２２で示したようにステップ３においてＬＡＰによって提案された複数の資源に対応するＡＴのために複数の資源を造出する。ＡＰｂ ５０６は信号５２４で示したようにＭＡＣ ＩＤをアンカーＡＰ ５０８に通信する。
【００１１】
５．随意に、ＡＰｂ ５０６との情報交換に応じて、アンカーＡＰ ５０８はＡＰａ ５０４によってＡＴ ５０２に割当てられた複数の資源を変更する。例えば、アンカーＡＰ ５０８は資源更新要求（Resource Update Request）メッセージ５２８をＡＰａ ５０４に送り、そして資源更新応答（Resource Update Response）メッセージ５２８を受取る。
【００１２】
６．アンカーＡＰ ５０８は稼働集合割当（ActiveSetAssignment）メッセージ５３０を作り出し、そしてＡＰａ ５０４を介してＡＴ ５０２に送る。稼働集合割当メッセージ５３２はＡＰａ ５０４からＡＴ ５０２に通信される。稼働集合割当メッセージ（５３０、５３２）はＡＰｂ ５０６からの複数の更新資源を含む。そのうちに、稼働集合割当メッセージ（５３０、５３２）はＡＰａ ５０４に関する複数の更新資源を含む。ブロック５３４はＡＴ ５０２がＡＰｂ ５０６を稼働集合に付加することを示す。
【００１３】
アクセス端末と複数のアクセスポイントとの間の複数の稼働接続の管理に関する方法及び装置の改良が望ましいことは理解されるであろう。例えば、接続を確立し、接続情報を更新し、且つ／または所与の点においていつかはＡＰがアクセス端末によって使用される情報を記憶するための方法の改良は必ずしも全てではないが少なくともいくつかのシステムにおいて望ましいであろう。
【発明の概要】
【００１４】
様々な実施例による方法は複数のアクセスポイント（ＡＰ）の間で動作する稼働集合制御プロトコルを必要としないでＡＰの集合及び複数の資源をアクセス端末（ＡＴ）に割当てた複数のＡＰとの接続に関する情報をＡＴが管理する方法を提供する。アクセス端末と複数のアクセスポイントとの間の複数の稼働接続の管理に関する方法及び装置を述べる。アクセス端末は稼働集合情報を保持し、且つ管理する。様々な実施例において、アクセス端末はアクセス端末の稼働集合情報の収集及び記憶のために使用される通信システムにおける単一の点である。稼働集合情報はアクセス端末が稼働接続を有する複数のアクセスポイントの集合を識別する。いくつかの実施例において、稼働集合情報は稼働集合における異なる複数のアクセスポイントに対応するアクセス端末に割当てられた複数の割付け資源を含む。層２移送トンネリング（Layer 2 Transport Tunneling）は、様々な実施例において、複数のアクセスポイントの間で接続要求及び／または接続応答情報を通信するために使用される。
【００１５】
ネットワークにおいてアクセス端末を動作させる典型的な方法は接続要求を前記アクセス端末が接続を持つ第一のアクセスポイントに伝送することを含み、前記接続要求は前記アクセス端末が第二のアクセスポイントとの稼働接続を確立しようとすることを示す。典型的方法はさらに接続応答メッセージを前記第一のアクセスポイントから受取ること、及び受取った接続応答メッセージに基づいて、前記アクセス端末が稼働接続を持つ複数のアクセスポイントを示す情報の集合を更新することを含む。通信ネットワークにおいて使用するための典型的なアクセス端末は前記アクセス端末が接続を持つ第一のアクセスポイントへ接続要求を伝送するための無線送信器モジュールを含み、前記接続要求は前記アクセス端末が第二のアクセスポイントとの稼働接続を確立しようとすることを示す。典型的なアクセス端末はさらに：前記第一のアクセスポイントから接続応答メッセージを受取るための無線受信器モジュール；前記アクセス端末が接続を持つ複数のアクセスポイントを示す情報の集合を含むメモリー；及び受取った接続応答メッセージに基づいて、前記アクセス端末が接続を持つ複数のアクセスポイントを示す情報の前記集合を更新するための接続管理モジュールを含む。
【００１６】
第一のアクセスポイントを動作させる典型的な方法は前記第一のアクセスポイントが稼働接続を持つアクセス端末から接続要求を受取ることを含み、前記接続要求は前記アクセス端末が稼働接続を確立しようとする第二のアクセスポイントに対応する識別子を含む。第一のアクセスポイントを動作させる典型的な方法はさらに：接続要求の少なくとも一部分を前記第二のアクセスポイントに転送すること；第二のアクセスポイントから接続応答メッセージを受取ること；及び接続応答メッセージを前記アクセス端末に転送することを含む。典型的な第一のアクセスポイントは接続要求を前記第一のアクセスポイントが稼働接続を持つアクセス端末から受取るための無線受信器モジュールを含み、前記接続要求は前記アクセス端末が稼働接続を確立しようとする第二のアクセスポイントに対応する識別子を含む。典型的な第一のアクセスポイントはさらに：接続要求の少なくとも一部分を前記第二のアクセスポイントに転送するための接続要求送付モジュール；第二のアクセスポイントから接続応答メッセージを受取るためのネットワーク・インタフェース・モジュール；及び接続応答メッセージを前記アクセス端末に転送するための接続応答転送モジュールを含む。
【００１７】
アクセス端末との稼働接続を持つ第一のアクセスポイントとの接続を持つ第二のアクセスポイントを動作させる典型的な方法は：第一のアクセスポイントから前記アクセス端末が第二のアクセスポイントとの接続を確立しようとすることを示す第二のアクセスポイントへ通信された接続要求を受取ること；接続応答メッセージを生成すること；及び前記アクセス端末に転送するために前記第一のアクセスポイントへの接続応答を通信することを含む。アクセス端末との稼働接続を持つ第一のアクセスポイントとの接続を持つ典型的な第二のアクセスポイントは：第一のアクセスポイントから前記アクセス端末が第二のアクセスポイントとの接続を確立しようとすることを示す第二のアクセスポイントへ通信された接続要求を受取るためのＩ／Ｏインタフェース・モジュール；接続応答メッセージを生成するための接続応答生成モジュールを含み、そしてここで前記Ｉ／Ｏインタフェース・モジュールはまた前記アクセス端末へ転送するために接続応答を前記第一のアクセスポイントへ通信する。
【００１８】
様々な実施例が上で要約において論じられてきたが、必ずしも全ての実施例が同じ特徴を含む必要はなく、そして上で述べたいくつかの特徴は必要ではないがいくつかの実施例において望ましいかもしれない。多数の追加の特徴、実施例及び便益は続いて詳細な説明において論じられる。
【詳細な説明】
【００１９】
無線通信システムは音声、データ等のような様々な形式の通信内容を提供するために広く展開される。これらのシステムは利用可能な複数のシステム資源（例えば、帯域幅及び伝送電力）を共有することによって多数のユーザーとの通信を支援することが可能である。そのような多元アクセス・システムの例は、 マイクロウェーブ・アクセスの世界相互運用（ＷｉＭＡＸ）、赤外線データ協会（Infrared Data Association：ＩｒＤＡ）の赤外線プロトコル、短距離無線プロトコル／技術、Ｂｌｕｅｔｏｏｔｈ（登録商標）技術、ＺｉｇＢｅｅプロトコル、超広帯域（ＵＷＢ）プロトコル、家庭無線周波数（ＨｏｍｅＲＦ）、共有無線アクセス・プロトコル（ＳＷＡＰ）、無線イーサネット（登録商標）互換性同盟（ＷＥＣＡ）のような広帯域技術、無線忠実度同盟（ＷｉＦｉ同盟）、８０２．１１ネットワーク技術、公衆交換電話ネットワーク技術、インターネットのような公衆異機種通信ネットワーク技術、私用無線通信ネットワーク、地上移動無線ネットワーク、符号分割多元アクセス（ＣＤＭＡ）、広帯域符号分割多元アクセス（ＷＣＤＭＡ）、汎用移動体通信システム（ＵＭＴＳ）、高度移動体電話サービス（ＡＭＰＳ）、時分割多元アクセス（ＴＤＭＡ）、周波数分割多元アクセス（ＦＤＭＡ）、直交周波数分割多元アクセス（ＯＦＤＭＡ）、全世界移動体通信システム（ＧＳＭ（登録商標））、単一キャリア（１Ｘ）無線伝送技術（ＲＴＴ）、発展データのみの（ＥＶ-ＤＯ）技術、一般パケット無線サービス（ＧＰＲＳ）、強化データＧＳＭ（登録商標）環境（ＥＤＧＥ）、高速下り回線データ・パケット・アクセス（ＨＳＰＤＡ）、アナログ及びディジタル衛星システム、及び無線通信ネットワーク及びデータ通信ネットワークの少なくとも一つにおいて使用される他の技術／プロトコルを含む。
【００２０】
一般に、無線多元アクセス通信システムは多数の無線端末の通信を同時に支援することができる。各端末は一つ以上の基地局と順方向及び逆方向回線上の伝送を介して通信する。順方向回線（或いは、下り回線 ) は基地局から端末への通信回線を云い、そして逆方向回線 ( 或いは、上り回線 ) は端末から基地局への通信回線を云う。この通信回線は単一入力-単一出力、多元入力-単一出力または多元入力-多元出力（ＭＩＭＯ）システムによって達成される。
【００２１】
図２を参照すると、 一実施例に基づく多元アクセス無線通信システムが例示されている。アクセスポイント（ＡＰ）１００は多数のアンテナ群１０４及１０６を含み、別の群は１０８及び１１０を含み、そして追加の群は１１２及び１１４を含む。図２では、ただ二つのアンテナが各アンテナ群について示されているが、しかしながら、多少のアンテナが各アンテナ群について利用される。アクセス端末（ＡＴ）１１６はアンテナ１１２及び１１４と通信し、そこではアンテナ１１２及び１１４は順方向回線１２０上で情報をアクセス端末１１６へ送り、且つ逆方向回線１１８上で情報をアクセス端末１１６から受取る。アクセス端末１２２はアンテナ１０６及び１０８と通信し、そこではアンテナ１０６及び１０８は順方向回線１２６上で情報をアクセス端末１２２へ送り、且つ逆方向回線１２４上で情報をアクセス端末１２２から受取る。ＦＤＤシステムでは、複数の通信回線１１８、１２０、１２４及び１２６は通信のために異なる周波数を使用する。例えば、順方向回線１２０は逆方向回線１１８によって使用されるものとは異なる周波数使用する。
【００２２】
アンテナの各群及び／またはそれらが通信するように設計されている領域はアクセスポイントのセクターとしてしばしば参照される。実施例では、アンテナ群はそれぞれアクセスポイント１００によって網羅される領域のセクターにおけるアクセス端末に通信するように設計されている。
【００２３】
順方向回線上１２０及び１２６の通信では、アクセスポイント１００の送信アンテナは異なるアクセス端末１１６及び１２２のために順方向回線の信号対雑音比を改善するためにビーム成形（beamforming）を利用する。同じく、その通信区域（coverage）の至る所に無作為に分散する複数のアクセス端末に伝送するためにビーム成形を使用するアクセスポイントは単一アンテナを通してその全てのアクセス端末に伝送するアクセスポイントよりも複数の近隣セルの複数のアクセス端末への干渉が少なくなる。
【００２４】
アクセスポイントは複数の端末と通信するために使用される固定局であり、そしてまたアクセス・ノード、ノードＢ、基地局、または他のいくつかの用語として参照される。アクセス端末はまたアクセス・デバイス、ユーザー装置（user equipment：ＵＥ）、無線通信デバイス、端末、無線端末、移動端末、移動ノード、末端ノード（end node）または他のいくつかの用語で呼ばれる。
【００２５】
図３はＭＩＭＯシステム２００における典型的なアクセスポイント２１０及び典型的なアクセス端末２５０の実施例のブロック図である。アクセスポイント２１０で、いくつかのデータ・ストリームに関するトラヒック・データはデータ源２１２から送信（ＴＸ）データ・プロセッサー２１４へ提供される。
【００２６】
実施例では、各データ・ストリームはそれぞれの送信アンテナ上で伝送される。ＴＸデータ・プロセッサー２１４は符号化データを提供するためにそのデータ・ストリームのために選択された特定の符号化手法に基づいて各データ・ストリームのトラヒック・データをフォーマットし、符号化し、且つインタリーブする。
【００２７】
各データ・ストリームの符号化データはＯＦＤＭ技術を使用してパイロット・データと共に多重化される。パイロット・データは一般的に既知の方法において処理される既知のデータ・パターンであり、そしてチャネル応答を推定するために受信器システムで使用される。各データ・ストリームの多重化パイロット及び符号化データはそれから変調シンボルを提供するためにそのデータ・ストリームについて選択された特定の変調手法（例えば、ＢＰＳＫ、ＱＳＰＫ、Ｍ-ＰＳＫ、またはＭＱＡＭ）に基づいて変調される（即ち、シンボル写像される）。各データ・ストリームのデータ速度、符号化、及び変調はプロセッサー２３０によって実行される命令（instructions）によって決定される。
【００２８】
各々のデータ・ストリームの変調シンボルはそれからＴＸ ＭＩＭＯプロセッサー２２０に提供され、それはさらに（例えば、ＯＦＤＭのために）変調シンボルを処理する。ＴＸ ＭＩＭＯプロセッサー２２０はそれからＮＴ変調シンボル・ストリームをＮＴ送信器（ＴＭＴＲ）２２０ａ〜２２２ｔへ提供する。ある実施例では、ＴＸ ＭＩＭＯプロセッサー２２０はデータ・ストリームのシンボル及びシンボルが送信されているアンテナにビーム成形加重（weights）を適用する。
【００２９】
各送信器（２２２ａ、・・・、２２２ｔ）は一以上のアナログ信号を提供するためにそれぞれのシンボル・ストリームを受取り、且つ処理し、そしてさらにＭＩＭＯチャネル上で伝送に適した変調信号を提供するために複数のアナログ信号を調整（例えば、増幅、フィルター、及び高位変換）する。送信器２２２ａ〜２２２ｔからのＮＴ変調信号はそれから複数のＮＴアンテナ２２４ａ〜２２４ｔからそれぞれ送信される。
【００３０】
アクセス端末２５０で、伝送シンボル信号はＮＲアンテナ２５２ａ〜２５２ｒによって受信され、そして各アンテナ２５２からの受信信号はそれぞれの受信器（ＲＣＶＲ）２５４ａ〜２５４ｒへ提供される。各受信器（２５４ａ、・・・、２５４ｒ）はそれぞれの受信信号を調整（例えば、フィルター、増幅、及び低位変換）し、標本を提供するために調整された信号をディジタル化し、そしてさらに対応する「受信された」シンボル・ストリームを提供するために標本を処理する。
【００３１】
ＲＸデータ・プロセッサー２６０はそれから「検出された」ＮＴシンボル・ストリームを提供するために特定の受信器処理技術に基づいてＮＲ受信器（２５４ａ、・・・、２５４ｒ）からＮＲ受信シンボル・ストリームを受取り、且つ処理する。ＲＸデータ・プロセッサー２６０はそれからデータ・ストリームのトラヒック・データを再生するために各検出シンボル・ストリームを復調し、逆インタリーブし、且つ復号する。ＲＸデータ・プロセッサー２６０による処理は送信器システム２１０でＴＸ ＭＩＭＯプロセッサー２２０及びＴＸデータ・プロセッサー２２０―によって行われることと相補的である。
【００３２】
プロセッサー２７０はどちらの前符号化行列（pre-coding matrix）を使用すべきかを定期的に判定する。プロセッサー２７０―は行列指数及び位置付（rank）値部分を含む逆方向回線メッセージを形成する。
【００３３】
逆方向回線メッセージは通信回線及び／または受信データ・ストリームに関する様々な形式の情報を含む。逆方向回線メッセージはそれからＴＸデータ・プロセッサー２３８（それはまたデータ源２３６から一組のデータ・ストリームのトラヒック・データを受取る）によって処理され、変調器２８０によって変調され、送信器２５４ａ〜２５４ｒによって調整され、そしてアンテナ（２５２ａ、・・・、２５２ｒ）を介して、アクセスポイント２１０へ返送される。
【００３４】
アクセスポイント２１０で、アクセス端末２５０からの変調信号はアンテナ２２４によって受信され、そして受信器システム２５０によって伝送された逆方向回線メッセージを得るためにＲＸデータ・プロセッサー２４２によって処理される。プロセッサー２３０はそれからビーム成形加重を決定するためにどちらの前符号化行列を使用すべきかを決定し、そして抽出されたメッセージを処理する。
【００３５】
メモリー２３２はルーチン及びデータ／情報を含む。複数のプロセッサー２３０、２２０及び／または２４２はルーチンを実行し、そしてアクセスポイント２１０の動作を制御し、そして方法を実施するためにメモリー２３２内のデータ／情報を使用する。メモリー２７２は複数のルーチン及びデータ／情報を含む。複数のプロセッサー２７０、２６０及び／または２３８は複数のルーチンを実行し、そしてアクセス端末２５０の動作を制御し、そして複数の方法を実施するためにメモリー２７２内のデータ／情報を使用する。
【００３６】
ある形態では、単純ＲＡＮ（SimpleRAN）は無線通信アクセス・ネットワークにおける複数の帰路アクセス・ネットワーク要素の間の複数の通信プロトコルを著しく単純化し、一方、高速に変化する複数の無線通信状態において、ＶＯＩＰのように、低待ち時間要求に適応するために高速ハンドオフを提供するように設計される。
【００３７】
ある形態では、ネットワークは複数のアクセス端末（ＡＴ）及びアクセス・ネットワーク（ＡＮ）を含む。
【００３８】
ＡＮは集中化及び分配化配置を支援する。集中化及び分配化配置のネットワーク・アーキテクチャは図４及び図５にそれぞれ示される。
【００３９】
図４は分配化ＡＮ ３０２及びＡＴ ３０３を含む典型的なネットワーク３００を例示する。
【００４０】
分配化ネットワーク・アーキテクチャ
図４に示した分配化アーキテクチャでは、ＡＮ ３０２は複数のアクセスポイント（ＡＰ）及び複数のホーム・エージェント（ＨＡ）を含む。ＡＮ ３０２は複数のアクセスポイント（ＡＰａ ３０４、ＡＰｂ ３０６、ＡＰｃ ３０８）及びホーム・エージェント３１０を含む。さらに、ＡＮ３０２はＩＰ集団（IP cloud）３１２を含む。ＡＰ（３０４、３０６、３０８）は回線（３１４、３１６、３１８）を介してＩＰ集団にそれぞれ連結される。ＩＰ集団３１２は回線３２０を介してＨＡ ３１０に連結される。
【００４１】
ＡＰは下記の機能を含む：
ネットワーク機能（ＮＦ）：
○ＡＰ当たり一つ、そして多数のＮＦは単一のＡＴをサービスする。
【００４２】
○単一のＮＦは各ＡＴのＩＰ層結合点（IP layer attachment point：ＩＡＰ）である、即ち、ＨＡが複数のパケットをＡＴに転送するＮＦである。図４の例では、図４において線３２２によって示したように、ＮＦ ３３６はＡＴ ３０３の現在のＩＡＰである。
【００４３】
○ＩＡＰは帰路上でＡＴへの複数のパッケットの経路指定を最適化するために変化する（Ｌ３ハンドオフ）。
【００４４】
○ＩＡＰはＡＴについてセッション・マスターの機能を実行する。（いくつか実施例では、セッション・マスターのみがセッション構成を行うか、またはセッション状態を変更する。）
○ＮＦはＡＰにおける各々のＴＦについて制御器として働き、そしてＴＦでＡＴのために複数の資源を割当て、管理し、及び分解するような複数の機能を実行する。
【００４５】
送受信器機能（ＴＦ）またはセクター：
○ＡＰ当たり多数、そして多数のＴＦは単一のＡＴにサービスする。
【００４６】
○ＡＴに空中インタフェース結合を行う。
【００４７】
○順方向及び逆方向回線について異なる。
【００４８】
○複数の無線通信条件に基づいて変化する（Ｌ２ハンドオフ）。
【００４９】
ＡＮ ３０２において、ＡＰａ ３０４はＮＦ ３２４、ＴＦ ３２６及びＴＦ ３２８を含む。ＡＮ ３０２において、ＡＰｂ ３０６はＮＦ ３３０、ＴＦ ３３２及びＴＦ ３３４を含む。ＡＮ ３０２において、ＡＰｃ ３０８はＮＦ ３３６、ＴＦ ３３８及びＴＦ３４０を含む。
【００５０】
ＡＴは下記を含む：
稼働集合において各ＮＦの移動ノード（mobile node：ＭＮ）に提示されるインタフェースＩ_ｘ。
【００５１】
アクセス端末でＩＰ層移動性を支援する移動ノード（ＭＮ）。
【００５２】
ＡＰはＩＰ上で定義されたトンネル・プロトコルを使用して通信する。トンネルはデータ平面に関するＩＰ-ｉｎ-ＩＰトンネルであり、そして制御平面についてはＬ２ＴＰトンネルである。
【００５３】
典型的なＡＴ ３０３は複数のインタフェース（Ｉ_ａ ３４２、Ｉ_ｂ ３４４、Ｉ_ｃ３４６）及びＭＮ ３４８を含む。ＡＴ ３０３は無線回線３５０を介してＡＰ_ａ ３０４に連結でき、そして時々連結される。ＡＴ ３０３は無線回線３５２を介してＡＰ_ｂ ３０６に連結でき、そして時々連結される。ＡＴ ３０３は無線回線３５４を介してＡＰ_ｃ３０８に連合でき、そして時々連結される。
【００５４】
図５は集中化ＡＮ ４０２及びＡＴ ４０３を含む典型的なネットワーク４００を例示する。
【００５５】
図５に示した集中化アーキテクチャでは、ＮＦは一つのＴＦと論理的にもはや関連してなく、従ってＡＮは複数のネットワーク機能、複数のアクセスポイント及び複数のホーム・エージェントを含む。典型的なＡＮ ４０２は複数のＮＦ（４０４、４０６、４０８）、複数のＡＰ（ＡＰ_ａ ４１０、ＡＰ_ｂ ４１２、ＡＰ_ｃ ４１４）、ＨＡ ４１６及びＩＰ集団４１８を含む。ＮＦ ４０４は回線４２０を介してＩＰ集団４１８に連結される。ＮＦ ４０６は回線４２２を介してＩＰ集団４１８に連結される。ＮＦ ４０８は回線４２４を介してＩＰ集団４１８に連結される。ＩＰ集団４１８は回線４２６を介してＨＡ ４１６に連結される。 ＮＦ４０４は回線（４２８、４３０、４３２）を介して（ＡＰ_ａ ４１０、ＡＰ_ｂ ４１２、ＡＰ_ｃ ４１４）にそれぞれ連結される。ＮＦ ４０６は回線（４３４、４３６、４３８）を介して（ＡＰ_ａ ４１０、ＡＰ_ｂ ４１２、ＡＰ_ｃ ４１４）にそれぞれ連結される。ＮＦ ４０８は回線（４４０、４４２、４４４）を介して（ＡＰ_ａ ４１０、ＡＰ_ｂ４１２、ＡＰ_ｃ ４１４）にそれぞれ連結される。
【００５６】
ＡＰ_ａ ４１０はＴＦ ４６２及びＴＦ ４６４を含む。ＡＰ_ｂ ４１２はＴＦ ４６６及びＴＦ ４６８を含む。ＡＰ_ｃ ４１２はＴＦ ４７０及びＴＦ ４７２を含む。
【００５７】
ＮＦはＴＦに関する制御器として働き、そして多くのＮＦは論理的に単一のＴＦと関連付けされるので、稼働集合の一部としてＡＴと通信するＮＦはＡＴでＴＦのための資源を割付けし、管理し、且つ取り壊す機能を実行する。従って、多数のＮＦは単一のＴＦにおいて資源を制御する（これらの複数の資源は独立して管理されるけれども）。図５の例では、線４６０によって示されるように、ＮＦ ４０８はＡＴ ４０３についてＩＡＰとして働いている。
【００５８】
実行された論理機能の残りは分配化アーキテクチャに関しては同じである。
【００５９】
典型的なＡＴ ４０３は複数のインタフェース（Ｉ_ａ ４４６、Ｉ_ｂ ４４８、Ｉ_ｃ４５０）及びＭＮ ４５２を含む。ＡＴ ４０３は無線回線４５４を介してＡＰ_ａ ４１０に連結でき、そして時々連結される。ＡＴ ４０３は無線回線４５６を介してＡＰ_ｂ ４１２に連結でき、そして時々連結される。ＡＴ ４０３は無線回線４５８を介してＡＰ_ｃ４１４に連結でき、そして時々連結される。
【００６０】
ＤＯ及び８０２．２０のような複数のシステムではＡＴは特定のセクタ（ＴＦ）のアクセス・チャネル上でアクセス試行を行うことによってＡＰからサービスを取得する。アクセス試行を受取るＴＦと関連するＮＦはＡＴのセッション・マスターであるＩＡＰと連絡をとり、そしてＡＴのセッションの写しを検索する。（ＡＴはアクセス・ペイロードにＵＡＴＩを含めることによってＩＡＰの同一性を示す。ＵＡＴＩはＩＡＰを直接アドレス指定するためにＩＰアドレスとして使用されるか、或いはＩＡＰのアドレスを調べるために使用される。）アクセス試行がうまくいくと、ＡＴはそのセクターと通信するためにＭＡＣ ＩＤ及びデータ・チャネルといった複数の空中インタフェース資源を割当てられる。
【００６１】
さらに、ＡＴはそれが聴取できる複数の他のセクター及びそれらの複数の信号強度を示す通報（report）を転送する。ＴＦは通報を受取り、そしてＡＴに稼働集合を次々と提供するＮＦにおけるネットワーク在中制御器にそれを送る。今日、それらが実施されるＤＯ及び８０２．２０に関して、 ＡＴが通信できる丁度一つのＮＴがある（一時的に二つあるＮＦハンドオフの間を除く）。ＡＴと通信中の各々のＴＦは受信データ及び信号通信をこの単一のＮＦに転送するであろう。このＮＦはまたＡＴについてネットワーク在中（network-based）制御器として働き、そして稼働集合における複数のセクターとともに使用するためにＡＴのために複数の資源の割当及び取り壊しを取決め、且つ管理することに関与する。
【００６２】
稼働集合は従ってＡＴが複数の空中インタフェース資源を割当てられる複数のセクターの集合である。ＡＴは複数の定期的通報を送り続け、ネットワーク在中制御器はＡＴがネットワークの中を動き回りながら稼働集合から複数のセクターを付加、或いは除外するであろう。
【００６３】
稼働集合におけるＮＦはまたそれが稼働集合を結合するときＡＴのためにセッションの局所的な写しを取って来るであろう。セッションはＡＴと適切に通信するのに必要である。
【００６４】
ソフト・ハンドオフを持つＣＤＭＡ空中回線に関して、上り回線上で稼働集合における各々のセクターはＡＴの伝送を復号しようとする。下り回線上で、稼働集合における各々のセクターはＡＴに同時に伝送し、そしてＡＴはパケットを復号するために受信した伝送を結合する。
【００６５】
ＯＦＤＭＡシステム、またはソフト・ハンドオフ無しのシステムに関して、稼働集合の機能は稼働集合における複数のセクターの間で迅速に切替えを行い、そして新しいアクセス試行をしなくてもサービスの維持を可能にする。複数の稼働集合メンバーはＡＴに割当てられたセッション及び複数の空中インタフェース資源を持っているので、アクセス試行は稼働集合のメンバー間の切替えより一般に遙かに遅い。従って、稼働集合は複数の稼働アプリケーションのＱｏＳサービスに影響を及ぼさずにハンドオフをするのに有用である。
【００６６】
ＡＴ及びＩＡＰのセッション・マスターが属性を取決めし、もしくは代わりに接続の状態が変化するとき、複数の属性の複数の新しい値もしくは新しい状態は各セクターからの最適なサービスを保証するために時機を得た方法で稼働集合における各々のセクターに分配される必要がある。いくつかの場合には、例えば、複数のヘッダーの形式が変れば、または安全鍵（security keys）が変われば、ＡＴはこれらの変更がそのセクターに伝搬されるまでセクターの全てにおいて全く通信することができない。このように、セッションが変わるとき、稼働集合の全てのメンバーが更新されなければならない。いくつかの変更は他のものより同期するのにあまり決定的ではない。
【００６７】
稼働集合を有するＡＴネットワークにおいて見出される状態または文脈には三つの主な形式がある。
【００６８】
データ状態は接続の間のＡＴとＩＡＰまたはＮＦとの間のデータ経路上のネットワークにおける状態である。データ状態は非常に動的で、そして移送し難いヘッダー圧縮状態またはＲＬＰ循環状態のようなものを含む。
【００６９】
セッション状態は接続が終わるとき保持されるＡＴとＩＡＰとの間の制御経路上のネットワークにおける状態である。セッション状態はＡＴとＩＡＰとの間で取決められる属性の値を含む。これらの属性は接続の特性及びＡＴによって受取られるサービスに影響を及ぼす。例えばＡＴは新しいアプリケーションに関するＱｏＳ形態を取決め 、そしてアプリケーションに関するＱｏＳ要件を示すネットワークに新しいフィルター及びフロー仕様を供給する。別の例として、ＡＴはＡＮとの通信において使用されるヘッダーの大きさ及び形式を取決める。属性の新しい集合の取決めはセッション変更として定義される。
【００７０】
接続状態はＡＴとＩＡＰ、または接続が終わり、且つＡＴが遊休しているとき保持されないＮＦとの間の制御経路上でのネットワークにおける状態である。接続状態は電力制御ループ値、ソフト・ハンドオフのタイミング、及び稼働集合情報のような情報を含む。
【００７１】
ＩＡＰもしくはＬ３ハンドオフでは、三形式の状態が古いＩＡＰと新しいＩＡＰの間で移送される必要がある。遊休ＡＴがＬ３ハンドオフを行うことができれば、セッション状態のみが移送される必要がある。稼働ＡＴのＬ３ハンドオフを支援するために、データ及び接続状態は同じく移送される必要がある。
【００７２】
ＤＯ及び８０２．２０のような複数のシステムは多数の経路（または、複数のデータ・スタック）を定義することによってデータ状態のＬ３ハンドオフを行い、そこで各経路のデータ状態はその経路に対して局所的である、即ち、複数の経路は各々独立のデータ状態を有する。各ＩＡＰを異なる経路と関連させることによって、データ状態はハンドオフにおいて移送される必要はない。さらなる、さらに良いステップは、可能なパケット再配列を除いて、Ｌ３ハンドオフがデータ状態に完全に透明である異なる経路と各ＮＦを関連させることである。
【００７３】
データ状態は多数の経路を持つから、稼働ＡＴのＬ３ハンドオフを支援する次の論理ステップはＩＡＰから接続状態の制御を移動させ、そして稼働集合における各ＮＦへそれを局所化することである。これは多数の制御経路（または、複数の制御スタック）を定義すること、及び制御スタックが各ＮＦに独立しており、且つ局所的であるように空中インタフェースを定義することによって行われる。もはや稼働集合の全てのメンバーを管理する単一のＮＦはないから、これは接続状態の複数の資源の割付け及び取り壊しのいくつかの取決め及び管理がＡＴに移送されることを必要とする。同じく、それは稼働集合におけるＴＦ間の緊密な連結を回避するために−異なるＴＦは同じＮＦを共有しないから−空中インタフェース設計に関するいくつかの追加の要求を行う。例えば、最適な方法で動作させるために、電力制御ループ、ソフト・ハンドオフ、等といった、同じＮＦを持たないＴＦの間で緊密な同期を全て除去することが望ましい。
【００７４】
データ及び接続状態をＮＦへ押し下げることはこの状態をＬ３ハンドオフに移送する必要性を取除き、そしてまたＮＦ対ＮＦインタフェースをより簡単にするはずである。
【００７５】
システムは従ってこれらのスタックを論理的に区別するためアドレス指定機構と同様に、異なるＮＦと通信するためＡＴにおいて、多数の独立データ及び制御スタック（図４及び図５ではインタフェースと呼ばれる）を定義する。
【００７６】
基本的に、いくつかのセッション状態（ＱｏＳプロフィール、複数の安全鍵、複数の属性値、等）はＮＦハンドオフがあるたびに取決めるにはあまりにもそれは高くつくので、ＮＦ（または、ＩＡＰ）に対して局所的にはなり得ない。同じく、セッション状態は比較的静的であり、そして移送し易い。それはセッション・マスターが動くＩＡＰハンドオフの間にそれが変化するので、必要なものはセッション状態を管理し、且つ更新する機構である。
【００７７】
Ｌ３ハンドオフに関するセッション状態の移送はネットワーク・インタフェースを単純化し、そしてまたハンドオフの均一性（seamlessness）を改善するはずであるからネットワーク・アーキテクチャに関係なく全てのシステムにとって有用な特徴である。
【００７８】
個別の、しかし関連の問題はＬ３ハンドオフのＡＴ制御である。今日、ＤＯ及び８０２．２０のようなシステムでは、ＡＴは複数の局部スタックを割付けし、且つ取り壊すのでＬ３ハンドオフに気づいているが、しかしそれはＬ３ハンドオフが発生する時の制御を持たない。これはネットワーク基本の移動管理と呼ばれる。質問はＡＴをハンドオフ制御器にするかどうか、即ち、ＡＴ基本移動管理を使用するかどうかである？
障害許容度及び負荷均衡を支援するために、ネットワークはハンドオフを行うか、もしくはハンドオフをするようにＡＴへ信号を送る機構を持つことができる必要がある。このようにＡＴによる移動管理が使用されるならば、ネットワークはいつそれが発生するかを示す機構をなお必要とする。
【００７９】
ＡＴによる移動管理は相互間及び内部技術、或いは大域的及び局所的移動度に関して一つの機構を許容するといった、いくつかの明白な利点を持つ。それはまたいつハンドオフをするかを決定するのにネットワーク要素を要求しないことによって複数のネットワーク・インタフェースを単純化する。
【００８０】
ＤＯ及び８０２．２０のようなシステムがネットワーク基本の移動度を使用する第一の理由はＡＴ基本の移動度が音声を支援するのに十分に速く働くように最適化されないことである。第二の理由はＡＴにおける（ＭＩＰｖ６の）移動ＩＰトンネルを終了させることによって導入されるトンネル・オーバーヘッドである。移動度待ち時間は恐らくは二重キャスト（bicasting）を使用するのと同様に、現在と前の順方向回線サービス・セクターの間でトンネルを使用してデータを転送することによって解決される。
【００８１】
単純ＲＡＮ（SimpleRAN）では、二形式のハンドオフ、例えば、Ｌ２及びＬ３ハンドオフがある。
【００８２】
層２またはＬ２ハンドオフは順方向回線または逆方向回線サービス・セクター（ＴＦ）の変更を云う。Ｌ３ハンドオフはＩＡＰの変更を参照し、そしてＬ２ハンドオフは無線通信条件への応答ができる限り速くなければならない。ＤＯ及び８０２．２０のようなシステムはＬ２ハンドオフを速くするためにＰＨＹ層信号通信を使用する。
【００８３】
Ｌ２ハンドオフは順方向回線（ＦＬ）もしくは逆方向回線（ＲＬ）のためのサービス・セクターＴＦの移送である。そのセクターに関するＡＴで見られるＲＦ条件に基づく稼働集合における新しいサービス・セクターをＡＴが選択するとき、ハンドオフが発生する。ＡＴは稼働集合における全てのセクターについて順方向及び逆方向回線の複数のＲＦ条件に関して複数のフィルター測定を行う。例えば、順方向回線に関する８０２．２０では、ＡＴはその所望のＦＬサービス・セクターを選択するために、獲得パイロット、一般パイロット・チャネル（存在すれば）、及び共有信号通信チャネル上のパイロットについてＳＩＮＲを測定することができる。逆方向回線について、ＡＴはセクターからＡＴへの上昇／降下電力制御命令に基づいて稼働集合における各セクターについてＣＱＩ抹消率を推定する。
【００８４】
ＡＴが逆方向回線制御チャネルを介して異なるＦＬまたはＲＬサービス・セクターを要求するとき、Ｌ２ハンドオフが開始される。複数の専用資源はそれがＡＴに関する稼働集合に含まれるとき、ＴＦで割当てられる。ＴＦはハンドオフ要求の前に既にＡＴを支援するように構成される。対象サービス・セクターはハンドオフ要求を検出し、そしてＡＴへの複数のトラヒック資源の割当によってハンドオフを完了する。順方向回線ＴＦハンドオフは伝送すべき対象ＴＦに関するデータを受取るために源のＴＦまたはＩＡＰと対象ＴＦとの間のメッセージ通信の往復を必要とする。逆方向回線ＴＦについて、対象ＴＦは複数の資源をただちにＡＴへ割当てる。
【００８５】
Ｌ３ハンドオフはＩＡＰの移送である。Ｌ３ハンドオフはＩＡＰとのＨＡ結合更新を包含し、そして制御平面について新しいＩＡＰへのセッション移送を必要とする。Ｌ３ハンドオフはシステムにおけるＬ２ハンドオフに非同期的であり、そのためＬ２ハンドオフはＭＩＰｖ６ハンドオフ信号通信速度によって制限されない。
【００８６】
Ｌ３ハンドオフは各ＮＦへ独立の経路を定義することによってシステムにおいて空中上で支持される。各フローは高位層パケットの伝送及び受信のために多数の経路を提供する。経路はどちらのＮＦがパケットを処理したかを示す。例えば、一つのＮＦは経路ＡとしてＴＦで、そして空中上で関連し、一方、別のＮＦは経路Ｂと関連する。サービスＴＦは個別の、且つ独立した系列空間を使用して、パケットを経路Ａ及び経路Ｂの両方から、即ち、両方のＮＦから同時に送ることができる。
【００８７】
移動体についてＱｏＳ処理を保証するためにシステム設計において少なくとも二つの鍵となる考えがあり、そしてそのトラヒックは各ハンドオフ・モード（即ち、Ｌ２及びＬ３ハンドオフの分離）上で保持される。空中インタフェース資源を保持し、そしてハンドオフの前に対象ＮＦまたはＴＦにおいてセッションを取って来ることはハンドオフの間のデータ・フロー中断を最小にするために発生する。これは対象ＴＦ及びＮＦを稼働集合に付加することによって行われる。
【００８８】
システムは高速度のＬ２ハンドオフの間にＥＦトラヒックを支援するのを可能にするためにＬ２及びＬ３ハンドオフを分離するように設計されている。Ｌ３ハンドオフは結合更新を必要とし、それは秒当たり２〜３の割合に制限される。２０〜３０Ｈｚの高速Ｌ２ハンドオフ速度を可能にするために、Ｌ２及びＬ３ハンドオフは独立、且つ非同期になるように設計されている。
【００８９】
Ｌ２ハンドオフについて、稼働集合管理はＬ２稼働集合における全てのＴＦがハンドオフの場合にはＡＴにサービスするように準備するために割当てられた複数の資源を設定され、且つ専用されるのを可能にする。
【００９０】
様々な実施例による新規な方法はＡＰの間で動作する稼働集合制御プロトコルを必要としないでその稼働集合をＡＴが管理する方法を提供する。
【００９１】
典型的な新規な実施例における呼出の流れは図６の図面６００についてここで説明する。図面６００はアクセス端末６０２、第一のアクセスポイントＡＰａ ６０４、第二のアクセスポイントＡＰｂ ６０６、及びアンカーＡＰｃ ６０８を含む。ＡＰａ ６０４はＡＴ ６０２の現在のサービスＡＰである。ＡＰｂ ６０６はＡＴ ６０２に関する新しいＡＰである。ＡＰｃ ６０８はＡＴ ６０２のＩＡＰである。
【００９２】
ＡＰａ ６０４が現在のサービスＡＰであり、そしてＡＴ ６０２が（例えば、ＡＰｂから強い信号強度を測定した後で）ＡＰｂ ６０６を稼働集合に付加することを望む場合を考える。例えば、ＡＴ ６０２はブロック６１０に示したようにＡＰｂ ６０６から強いパイロットを知り、そしてＡＰｂ ６０６を稼働集合に付加することを望む。この場合には、下記の呼出の流れがある：
１．ＡＰｂ ６０６からの信号が十分に強いことをＡＴ ６０２が決定するとき、それは接続要求（ConnectionRequest）メッセージを送ることによってＡＰｂ ６０６が稼働集合に付加されることを要求することを決定する。メッセージと共に、ＡＴ ６０２はＡＰｂ６０６のＩＤ及び現在割当てられた複数のＭＡＣ資源のリストを送る。接続要求メッセージ、ＡＰｂ-ＩＤ及び現在割当てられた複数のＭＡＣ資源のリストは矢印６１２によって示したようにＡＴ ６０２からＡＰａ ６０４へ通信される。
【００９３】
２．ＡＰａ ６０４はこのメッセージ６１２を得て（なぜならばＡＴは現在ＡＰａ ６０４によってサービスされているので）、そして（ＡＰａ ６０４によって送られたＡＰｂ６０６のＩＤを使用して）メッセージをＡＰｂ ６０６に転送する。そのような転送はＬ２ＴＰトンネルによって達成される。転送されたメッセージ６１４はＡＴ ６０２のＩＤを含む。
【００９４】
３．ＡＰｂ ６０６はＡＰａ ６０４からメッセージ６１４を得て、そしてセッション（それは複数の安全鍵、ＱｏＳ設定、等を含む）をセッション・ホルダーから取って来る。セッション・ホルダーのアドレスはＡＴのＩＤを使用して決定される（または、代りにメッセージ６１２はセッション・ホルダーのアドレスを含む）。この例では、ＡＰｃ ６０８はセッション・ホルダーであり、そしてセッション取得（Get  Session）メッセージ６１６がＡＰｂ ６０６からＡＰｃ ６０８へ送られる。
【００９５】
４．セッション・ホルダー６０８はＡＰｃ ６０８からＡＰｂ ６０６へのセッション取得応答（GetSession Response）メッセージ６１８を介して通信されたセッション情報によってＡＰｂ ６０６へ応答する。
【００９６】
５．ＡＰｂ ６０６は接続応答（ConnectionResponse ）メッセージ６２０によって応答する。これらの複数の資源は（メッセージ６１２においてＡＰによって通報されたように）ＡＴ６１２に現在割当てられた複数のＭＡＣ資源と一致するようにＡＰｂ ６０６によって決定される。この例では、接続応答メッセージ６２０はＡＰｃ ６０８によってＡＰｂ ６０６からＡＰａ ６０４へ通信される。
【００９７】
６．ＡＰａ ６０４は接続応答メッセージ６２０を受取り、そして接続応答メッセージ６２２としてメッセージ６２０をＡＴ ６０２へ転送する。このメッセージ６２２を受取ると、ブロック６２４に示したように、ＡＴ ６０２は稼働集合に割当てられた複数の資源を含める。
【００９８】
７．空中回線資源用法を改良するために、ＡＴ ６０２はＡＰａ ６０４によって割当てられた資源の変更を要求するために複数の資源更新要求（ResourceUpdateRequest）メッセージ６２６を送る。これはＡＰｂ ６０６によって割当てられた複数の資源がＡＰａ ６０４に提供されたものと一致していない場合に発生する。
【００９９】
８．ＡＰａ ６０４はＡＰａ ６０４からＡＴ ６０２へ通信された資源更新要求メッセージ６２８において複数の新しい資源を割当てるかもしれず、そして時折割当てを行う。それからＡＴ ６０２はブロック６３０によって示したように複数のＡＰａ資源を更新する。
【０１００】
稼働集合において（この典型的実施例の設計におけるステップ７及び８で）取り決められる複数の資源は下記を含む：
１．制御チャネル・サイズ（制御チャネルはＴＤＭ、ＦＤＭ、ＣＤＭである）。
【０１０１】
２．制御チャネル・パラメータ（制御チャネル上で使用される、正確なＴＤＭスロット、ＦＤＭスロット、ＣＤＭ符号、変調、等）。
【０１０２】
３，順方向または逆方向データ・チャネルに関する上記と同じパラメータ。
【０１０３】
ＡＴ管理の稼働集合管理は下記の理由から有用である：
１．稼働集合管理過程の間、いかなるネットワーク実体（即ち、いかなるアクセスポイント）も
ａ．稼働集合のメンバー
ｂ．稼働集合のメンバーによって割当てられた資源
を知る必要がない。
【０１０４】
ＡＴ ６０２だけがこれらを知っている。
【０１０５】
２．稼働集合情報はネットワークのどこにも記憶されないので、前述の特徴はネットワークにおける制御器のより容易なハンドオフを可能にする。そのような容易なハンドオフは特に分配化（非集中化）アーキテクチャを支援する複数の次世代システムにとって有用である。
【０１０６】
３．上記のステップ２及び６においてメッセージを中継する間に、ＡＰはメッセージを解釈せず、それは単にそれを転送する。これは複雑なプロトコルの必要性を取り除く。
【０１０７】
４．この設計はＡＰａ ６０４及びＡＰｂ ６０６と交換されるメッセージ・フォーマットの複数の異なる版を支援するのをより容易にする。
【０１０８】
図７は様々な実施例によって、アクセス端末、例えば、移動無線端末を動作させる典型的な方法のフローチャート７００である。典型的方法の動作はステップ７０２において始まり、そこではアクセス端末が電源投入または初期化され、第一のアクセスポイントとの接続を確立し、そして第二のアクセスポイントからの信号を監視する。動作はステップ７０２からステップ７０４へ進み、そこでアクセス端末は第二のアクセスポイントから信号、例えば、パイロット信号を受取る。それから、ステップ７０６において、アクセス端末は第二のアクセスポイントからの受信信号が所定のレベル以上であるかどうかを判定する。第二のアクセスポイントからの受信信号が所定のレベル以上であるならば、動作はステップ７０６からステップ７０７へ進む；そうでなければ、動作はステップ７０６からステップ７０４へ戻り、そこでアクセス端末は評価されるべき別の信号を受取る。
【０１０９】
ステップ７０７へ戻り、ステップ７０７では、アクセス端末は前記第二のアクセスポイントへ配送予定された接続要求メッセージを生成する。動作はステップ７０７からステップ７０８へ進む。ステップ７０８において、アクセス端末は接続要求をアクセス端末が接続を持つ第一のアクセスポイントに伝送する（前記接続要求は前記アクセス端末が前記アクセスポイントと稼働接続を確立しようとすることを示す）。いくつかの実施例では、接続要求は接続要求メッセージ、及び第二のアクセスポイントを識別する接続要求メッセージと関連する識別子を含む。いくつかの実施例では、接続要求メッセージは前記識別子によって識別された第二のアクセスポイントに第一のアクセスポイントを通して送られる。
【０１１０】
様々な実施例[において、第一のアクセスによってアクセス端末に割当てられた資源を示す資源情報は前記接続要求において第一のアクセスポイントへ通信される。接続要求は複数の他のアクセスポイントによってアクセス端末にも同様に割付けられた複数の資源に関する情報を含むかもしれず、そしていくつかの実施例において含む。この資源割付情報は、例えば、アクセス端末の稼働集合における第三及び第四の稼働集合において割付けられた複数の資源を示す。そのような資源情報は第一のアクセス端末によって割付けられた複数の資源に関する情報に付加され、或いは代わるものである。このように、いくつかの実施例において、接続要求メッセージは複数の無線端末の稼働集合における多数の異なるアクセスポイントによって前記アクセス端末に現在割当てられた複数のＭＡＣ資源のリストを含む。いくつかのそのような実施例において、資源情報は接続要求メッセージの一部として含まれる。他の実施例では、資源情報は接続要求メッセージと共に含まれ、例えば、接続要求メッセージと共に送られる。
【０１１１】
アクセス端末に割当てられた典型的な複数の資源は、例えば、複数の制御チャネル資源、トラヒック・チャネル資源及びＭＡＣ識別子を含む。いくつかの実施例において、第一のアクセスポイントによって割当てられた複数の資源は制御チャネル資源を含み、そして接続要求メッセージは少なくとも一つの制御チャネル・サイズ、及びアクセス端末に割当てられた制御チャネル資源に関する情報を示すために使用される制御チャネル・パラメータを含む。
【０１１２】
いくつかの実施例において、接続要求はアクセス端末に現在割当てられた複数のＭＡＣ資源のリストを含む。
【０１１３】
動作はステップ７０８からステップ７１０へ進み、そこではアクセス端末は第一のアクセスポイントから接続応答メッセージを受取る。様々な実施例において、接続応答メッセージは第二のアクセスポイントによってアクセス端末に割当てられた資源を示す情報を含む。動作はステップ７１０からステップ７１２へ進む。
【０１１４】
ステップ７１２において、アクセス端末は前記第一のアクセスポイントからの受信接続応答メッセージに基づいて、アクセス端末が稼働接続を持つ複数のアクセスポイントを示す情報の集合を更新する。いくつかの実施例において、アクセス端末が稼働接続を持つ複数のアクセスポイントを示す情報の集合は前記アクセス端末に記憶された稼働接続情報であり、前記稼働接続情報の集合は前記アクセス端末が稼働接続を持つ複数のアクセスポイントの全リストを記憶し、前記全リストは前記アクセス端末に保持され、そしてネットワークの他のいかなる場所にもない。
【０１１５】
様々な実施例において、稼働接続情報の集合は複数の異なるアクセスポイントによってアクセス端末に割当てられた複数の資源に対応する情報を含み、前記稼働接続情報の集合はネットワークにおける他のどこかの一つのノードに保持されてない複数の割当資源に関する情報を含む。
【０１１６】
いくつかの実施例において、情報の集合を更新することは第二のアクセスポイントによってアクセス端末に割当てられた複数の資源を示す情報を記憶することである。アクセス端末に割当てられた典型的な複数の資源は、例えば、複数の制御チャネル資源、トラヒック・チャネル資源及びＭＡＣ識別子を含む。いくつかの実施例において、第二のアクセスポイントによって割当てられた複数の資源は制御チャネル資源を含み、そして接続応答メッセージは少なくとも一つの制御チャネル・サイズ、及びアクセス端末に割当てられた制御チャネル資源に関する情報を示すために使用される制御チャネル・パラメータを含む。
【０１１７】
いくつかの実施例において、典型的方法は複数のステップ７１４、７１６、７１８及び７２０を含む。そのような実施例では、動作はステップ７１２からステップ７１４へ進む；そうでなければ動作はステップ７１２から最後のステップ７２２へ進む。
【０１１８】
ステップ７１４へ戻り、ステップ７１４では、アクセス端末は第二のアクセスポイントによってアクセス端末に割当てられた複数の資源が第一のアクセスポイントによってアクセス端末に割当てられた複数の資源と一致するかどうかを判定する。第二のアクセスポイントによってアクセス端末に割当てられた複数の資源が第一のアクセスポイントによってアクセス端末に割当てられた複数の資源と一致するならば、動作はステップ７１４から最後のステップ７２２へ進む。第二のアクセスポイントによってアクセス端末に割当てられた複数の資源が第一のアクセスポイントによってアクセス端末に割当てられた複数の資源と一致しなければ、動作はステップ７１４からステップ７１６へ進む。ステップ７１６において、アクセス端末は第一のアクセスポイントによってアクセス端末に割当てられた複数の資源の変更を要求するために資源更新要求メッセージを送り、そしてアクセス端末は第一のアクセスポイントによってアクセス端末に割当てられていた複数の新しい資源を示す前記資源更新要求メッセージに対する応答を受取る。動作はステップ７１８からステップ７２０へ進む。ステップ７２０において、アクセス端末は、ステップ７１８の受信応答メッセージに基づいて、第一アクセス・ノードによってアクセス端末に割当てられた複数の資源を示す情報を更新する。動作はステップ７２０からステップ７２２へ進む。
【０１１９】
フローチャート７００に関する典型的な一実施例では、アクセス端末は図６のアクセス端末６０２であり、第一のアクセスポイントは図６のアクセスポイント６０４であり、そして第二のアクセスポイントは図６のアクセスポイント６０６である。さらに、例を続けると、ステップ７０８の送信接続要求は図６の接続要求６１２であり、ステップ７１０の受信接続応答メッセージは図６の接続要求応答６２２であり、ステップ７１６の送信資源更新要求メッセージは図６の資源更新要求６２６であり、そしてステップ７１８の受信資源更新応答メッセージは図６の資源更新応答６２８である。
【０１２０】
図８は様々な実施例による第一のアクセスポイントを動作させる典型的な方法のフローチャート８００である。動作はステップ８０２で始まり、そこでは第一のアクセスポイントは電源投入、且つ初期化されていて、そしてアクセス端末との稼働接続を確立した。動作は開始ステップ８０２からステップ８０４へ進む。
【０１２１】
ステップ８０４において、第一のアクセスポイントは前記第一のアクセスポイントが稼働接続を持つ第一のアクセス端末から接続要求を受取り、前記接続要求は前記アクセス端末が稼働接続を確立しようとする第二のアクセスポイントに対応する識別子を含む。いくつかの実施例において、第一のアクセスポイントによって割当てられた複数の資源を含む情報はアクセス端末から受取られた接続要求に含まれる。動作はステップ８０４からステップ８０６へ進む。
【０１２２】
ステップ８０６において、第一のアクセスポイントは少なくとも接続要求の一部分を前記第二のアクセスポイントに転送する。いくつかの実施例において、転送される接続要求の一部分は接続要求メッセージを含み、そして接続要求の一部分の転送は転送される接続要求メッセージの目的地を決定するために前記第二のアクセスポイントに対応する前記識別子を使用することを含む。様々な実施例において、第一のアクセスポイントによってアクセス端末に割当てられた複数の資源を示す情報は前記第二のアクセスポイントに通信される。いくつかの実施例において、第一のアクセスポイントによって割当てられた複数の資源を示す情報は、例えば、接続要求メッセージの一部として、もしくは接続要求メッセージに加えて、アクセス端末から受取られる。いくつかの実施例において、第二のアクセスポイントに通信される割当てられた複数の資源を示す情報は第一のアクセス端末によって提供される。他の実施例において、第二のアクセスポイントに通信される割当てられた複数の資源を示す情報は第一のアクセスポイントによって提供される。
【０１２３】
様々な実施例において、送られる接続要求メッセージはアクセス端末識別子の一つ、及び前記アクセス端末が包含される通信セッションのセッション情報を保持するデバイスに対応するアドレスを含む。いくつかの実施例において、接続要求の一部分はメッセージの形式であり、そして転送は前記接続要求メッセージを前記第二のアクセス・ノードに転送するために層２伝送トンネリングを使用して実行される。
【０１２４】
それから、ステップ８０８において、第一のアクセスポイントは第二のアクセスポイントから接続応答メッセージを受取る。いくつかの実施例において、接続応答メッセージは第一及び第二のアクセス・ノード間の層２伝送トンネルを介して受取られる。様々な実施例において、接続応答メッセージは第二のアクセスポイントによってアクセス端末に割当てられた複数のＭＡＣ資源を含む。いくつかのそのような実施例において、複数のＭＡＣ資源は少なくとも一つの制御チャネル資源を含む。いくつかの実施例において、接続応答メッセージは少なくとも一つの制御チャネル・サイズ及びアクセス端末に割当てられた制御チャネル資源に関する情報を示すために使用される制御チャネル・パラメータを含む。次に、ステップ８１０において、第一のアクセスポイントは接続応答メッセージを前記アクセス端末に転送する。
【０１２５】
いくつかの実施例において、少なくともいくらかの時間の間に、ステップ８１２、８１４及び８１６が実行される。そのような場合には、動作はステップ８１０からステップ８１２へ進む。ステップ８１２において、第一のアクセスポイントは第一のアクセスポイントによって前記アクセス端末に割当てられた資源の変更を要求する前記アクセス端末から資源更新情報を受取る。それから、ステップ８１４において、第一のアクセスポイントは複数の資源を前記アクセス端末に割当てる。動作はステップ８１４からステップ８１６へ進む。ステップ８１６において、第一のアクセスポイントは第一のアクセスポイントによって前記アクセス端末に割当てられていた複数の新しい資源を示す前記資源更新要求メッセージに対する応答メッセージを送る。第一のアクセスポイントによってアクセス端末に割当てられた新しい資源は、様々な実施例において、第二のアクセスポイントによってアクセス端末に割当てられた複数の資源と一致している。
【０１２６】
フローチャート８００に関する典型的な一実施例において、アクセス端末は図６のアクセス端末６０２であり、第一のアクセスポイントは図６のアクセスポイント６０４であり、そして第二のアクセスポイントは図６のアクセスポイント６０６である。さらに、例を続けると、ステップ８０４の受信接続要求は図６の接続要求６１２であり、ステップ８０６の転送接続要求は図６の接続要求６１４であり、ステップ８０８の接続応答メッセージは図６の接続要求応答６２０であり、ステップ８１０の転送接続応答メッセージは図６の接続応答６２２であり、ステップ８１２の受信資源更新要求メッセージは図６の資源更新要求６２６であり、そしてステップ８１６の送信資源更新応答メッセージは図６の資源更新応答６２８である。
【０１２７】
図９は様々な実施例による第二のアクセスポイントを動作させる典型的な方法のフローチャート９００である。第二のアクセスポイントは第一のアクセスポイントと接続を持ち、そして前記第一のアクセスポイントはアクセス端末との稼働接続を持つ。典型的な方法の動作はステップ９０２に始まり、そしてステップ９０４へ進む。ステップ９０４において、第二のアクセスポイントはアクセス端末が第二のアクセスポイントとの接続を確立しようとすることを示す第一のアクセスポイントから通信される接続要求を受取る。いくつかの実施例において、接続要求はアクセス端末識別子、及び前記アクセス端末が包含される通信セッションのセッション情報を保持するデバイスに対応するアドレスのうちの一つを含む。セッション情報を保持するデバイスは、例えば、第三のアクセスポイントである。様々な実施例において、第一のアクセスポイントによってアクセス端末に割当てられた資源を示す情報は第一のアクセス・ノードから受取られる接続要求において受取られる。動作はステップ９０４からステップ９０６へ進む。
【０１２８】
ステップ９０６において、第二のアクセスポイントは前記アクセス端末が包含される通信セッションのセッション情報を検索する。様々な実施例において、ステップ９０６は複数の部分ステップ９０８及び９１０を含む。部分ステップ９０８において、第二のアクセス端末は前記アクセス端末が包含される通信セッションのセッション情報を保持するデバイスからセッション情報に要求する。それから、部分ステップ９１０において、第二のアクセスポイントはデバイスからセッション情報を受取る。動作はステップ９０６からステップ９１２へ進む。
【０１２９】
ステップ９１２において、第二のアクセスポイントは第一のアクセスポイントによってアクセス端末に現在割当てられた複数のＭＡＣ資源と一致する複数のＭＡＣ資源を第二のアクセスポイントにおけるアクセス端末に割当てる。いくつかの実施例において、第二のアクセスポイントで割当てられた制御チャネルは第一のアクセスポイントで割当てられた制御チャネルと同じ形式である。様々な実施例において、第一及び第二のアクセスポイントでアクセス端末に割当てられた制御チャネル資源の量は同じか、もしくは実質的に同じである。動作はステップ９１２からステップ９１４へ進む。ステップ９１４において、第二のアクセスポイントは接続応答メッセージを生成する。いくつかの実施例において、ステップ９１４は部分ステップ９１６を含み、そこでは第二のアクセスポイントは複数の資源をアクセス端末に割当てられた第二のアクセスポイントに関する情報を含む。
【０１３０】
それから、ステップ９１８において、第二のアクセスポイントはアクセス端末に転送するための第一のアクセスポイントへ接続応答を通信する。様々な実施例において、ステップ９１８は部分ステップを含み、そこでは第二のアクセスポイントは複数の資源をアクセス端末に割当てられた第二のアクセスポイントに関する情報を通信する。いくつかのそのような実施例において、情報を通信することは第二のアクセス・ノードと第一のアクセス・ノードとの間の層２トンネルにおいてメッセージを第一のアクセスポイントに送ることを含む。
【０１３１】
フローチャート９００に関する典型的実施例において、アクセス端末は図６のアクセス端末６０２であり、第一のアクセスポイントは図６のアクセスポイント６０４であり、第二のアクセスポイントは図６のアクセスポイント６０６であり、そしてセッション情報を保持するデバイスはアクセスポイント６０８である。さらに、例を続けけると、ステップ９０４の受信接続要求は図６の接続要求６１４であり、部分ステップ９０８のセッション情報の要求は図６のセッション取得（GetSession）メッセージ６１６を介して通信され、部分ステップ９１０のセッション情報は図６のセッション取得応答（GetSessionResponse）メッセージ６１８において受取られ、そしてステップ９１４及び９１８の生成接続応答メッセージは図６の接続応答メッセージ６２０である。
【０１３２】
図１０は様々な実施例による、典型的なアクセス端末１０００、例えば、移動無線端末の図である。典型的なアクセス端末１０００は、例えば、図６のアクセス端末６０２である。典型的なアクセス端末１０００は、例えば、図７のフローチャート７００の方法を実施するアクセス端末である。典型的なアクセス端末１０００は様々な要素がデータ及び情報をやり取りするバス１０１２によって共に連結された無線受信器モジュール１００２、無線送信器モジュール１００４、プロセッサー１００６、ユーザーＩ／Ｏデバイス１００８及びメモリー１０１０を含む。メモリー１０１０はルーチン１０１８及びデータ／情報１０２０を含む。プロセッサー１００６、例えば、ＣＰＵはルーチン１０１８を実行し、そしてアクセス端末１０００の動作を制御し、且つ方法、例えば、図７のフローチャート７００の方法を実施するためにメモリー１０１０内のデータ／情報１０２０を使用する。
【０１３３】
無線受信器モジュール１００２、例えば、ＯＦＤＭ受信器はアクセス端末１０００が複数の下り回線信号を複数のアクセスポイントから受取る受信アンテナ１０１４に連結される。複数の下り回線信号は、例えば、パイロット・チャネル信号、接続応答信号、及び資源要求応答信号を含む。無線受信器モジュール１００２は接続応答メッセージを第一のアクセスポイントから受取る。
【０１３４】
無線送信器モジュール１００４、例えば、ＯＦＤＭ送信器はアクセス端末１０００が複数の上り回線信号を複数のアクセスポイントへ送信する送信アンテナ１０１６に連結される。複数の上り回線は、例えば、接続要求信号及び資源要求更新信号を含む。無線送信器モジュール１００４はアクセス端末１０００が接続を持つ第一のアクセスポイントに接続要求を送り、前記接続要求はアクセス端末が第二のアクセスポイントと稼働接続を確立しようとすることを示す。
【０１３５】
いくつかの実施例において、多数のアンテナが、例えば、ＭＩＭＯ構成で使用される。いくつかの実施例において、同じアンテナまたはアンテナ群が受信器及び送信器に使用される。
【０１３６】
複数のユーザーＩ／Ｏデバイス１００８は、例えば、マイクロホン、キーパッド、スイッチ、カメラ、スピーカー、ディスプレイ、等を含む。複数のユーザーＩ／Ｏデバイス１００８によってアクセス端末１０００のユーザーはデータ／情報を入力し、出力データ／情報にアクセスし、且つ無線端末の少なくともいくつかの機能を制御する、例えば、通信セッションを確立しようとすることが可能となる。
【０１３７】
ルーチン１０１８は通信ルーチン１０２２及びアクセス端末制御ルーチン１０２４を含む。通信ルーチン１０２２はアクセス端末によって使用される様々な通信プロトコルを実施する。複数のアクセス端末制御ルーチンは電力測定モジュール１０２６、接続決定モジュール１０２８、接続要求生成モジュール１０３０、接続管理モジュール１０３２、割当評価モジュール１０３４、資源更新要求メッセージ生成モジュール１０３６及び資源更新要求メッセージ制御モジュール１０３８を含む。接続要求生成モジュール１０３０は接続要求メッセージ生成モジュール１０３１を含む。
【０１３８】
データ／情報１０２０は受信パイロット信号情報１０４０、パイロット信号測定情報１０４２、パイロット信号閾値情報１０４４、生成接続要求１０４６、受信接続応答メッセージ１０４８、現在稼働接続を持つアクセスポイントに対応する情報の集合１０５０、生成資源更新要求メッセージ１０６２及び受信資源更新応答メッセージ１０６４を含む。情報の集合１０５０はアクセス端末１０００が現在稼働接続を持つ複数のアクセスポイントを識別する情報（ＡＰ１識別情報１０５２、・・・、ＡＰ Ｎ ＩＤ情報１０５４）、及び対応する資源割付情報（複数のＡＰ１割当資源１０５６、・・・、ＡＰ Ｎ割当資源１０５８）を含む。典型的な複数のＡＰ１割当資源１０５６は制御チャネル資源、トラヒック・チャネル資源及び識別情報、例えば、ＭＡＣ識別子を含む。生成接続要求１０４６は識別子１０４５及び生成接続要求メッセージ１０４７を含む。
【０１３９】
電力測定モジュール１０２６はアクセスポイントから、例えば、第二のアクセスポイントからの信号が所定の閾値以上であるか否かを判定する。例えば、電力測定モジュール１０２６はアクセス端末が現在稼働接続を持たないアクセスポイントからの信号、例えば、受信パイロット信号１０４０を処理する。処理の一部として、電力測定モジュール１０２６はパイロット信号強度情報１０４２を取得して受信信号強度を測定し、その後、最小レベルを越していたかどうかを判定するために測定強度レベルをパイロット信号閾値情報１０４４と比較する。接続決定モジュール１０２８は電力測定モジュール１０２６の判定の関数として接続要求を生成するかどうかを決定する。
【０１４０】
接続要求生成モジュール１０３０は接続要求、例えば、生成接続要求１０４６を生成する。接続要求メッセージ生成モジュー１０３１は第二のアクセスポイントへの供給が予定される接続要求メッセージ、例えば、生成接続要求メッセージ１０４７を生成する。いくつかの実施例において、生成接続要求は接続要求メッセージ、及び識別子、例えば、アクセス端末が稼働接続を持とうとしているアクセスポイント、例えば、第二のアクセスポイントを識別する接続要求メッセージと関連する識別子を含む。様々な実施例において、接続要求メッセージは識別子によって識別された第二のアクセスポイントへの接続要求を受取った第一のアクセスポイントを経て送られる。
【０１４１】
様々な実施例において、アクセス端末が現在稼働接続を持つアクセスポイント、例えば、第一のアクセス・ノードによって割当てられた複数の資源を示す資源情報は前記第一のアクセス・ノードに伝送された前記接続要求において通信され、前記接続要求は別のアクセス・ノード、例えば、第二のアクセス・ノードにアクセス端末１０００を接続しようとする。いくつかの実施例において、接続要求メッセージ生成モジュール１０３１は生成接続要求メッセージにそのような資源情報を含む。いくつかの実施例において、接続要求生成モジュール１０３０は接続要求の一部として接続要求メッセージと共にそのような資源情報を含む。いくつかの実施例において、接続要求は前記アクセス端末に現在割当てられた複数のＭＡＣ資源のリスト１０６０を含む。様々な実施例において、第二のアクセスポイントによって割当てられた資源は制御チャネル資源を含み、そして接続応答メッセージは少なくとも一つの制御チャネル・サイズ、及びアクセス端末１０００に割当てられた制御チャネル資源に関する情報を示すために使用される制御チャネル・パラメータを含む。
【０１４２】
接続管理モジュール１０３２は、受信接続応答メッセージに基づいて、前記アクセス端末が稼働接続１０５２を持つ複数のアクセスポイントを示す情報の集合を更新する。例えば、第二のアクセスポイント及び対応する割当資源は受信接続応答メッセージに応答して記憶情報に付加される。様々な実施例において、接続応答メッセージは、例えば、第二のアクセスポイントに加えられることを要求されたアクセスポイントによって割当てられた複数の資源を示す情報を含む。接続管理モジュール１０３２はＡＴの展望から稼働アクセスポイント、例えば、第二のアクセスポイントの集合に付加されつつあるアクセスポイントに対応するアクセス端末に割当てられる複数の資源を示す情報を情報の集合１０５０に記憶する。
【０１４３】
割当評価モジュール１０３４は第二のアクセスポイントによってアクセス端末に割当てられた複数の資源が第一のアクセスポイントによってアクセス端末に割当てられた複数の資源と一致していないかどうかを判定する。
【０１４４】
資源更新要求メッセージ生成モジュール１０３６は資源更新要求メッセージ、例えば、メッセージ１０６２を生成し、それはアクセスポイントによる資源の変更、例えば、アクセス端末が進行中の稼働接続を持つ第一のアクセスポイントによる資源の変更を要求する。
【０１４５】
資源更新要求メッセージ制御モジュール１０３８は第二のアクセスポイントによってアクセス端末に割当てられた複数の資源が第一のアクセスポイントによってアクセス端末に割当てられた複数の資源と一致しないことを判定する割当評価モジュール１０３４に応答して生成資源更新要求メッセージを送るために送信器モジュール１００４を制御する。
【０１４６】
接続管理モジュール１０３２はまた第一のアクセスポイントによってアクセス端末に割当てられた複数の新しい資源を示すために情報１０５０の集合を更新する。例えば、第一のアクセスポイントはアクセス端末に複数の新しい資源を割当て、そして受信器モジュール１０２２よって受取られる資源更新応答メッセージ、例えば、資源更新応答メッセージ１０６４を通信するかもしれず、そして時折行う。
【０１４７】
いくつかの実施例において、アクセス端末が稼働接続を持つ複数のアクセスポイントを示す情報１０５０の集合はアクセス端末１０００に記憶された稼働接続情報集合であり、前記稼働接続情報集合は前記アクセス端末が稼働接続を持つ複数のアクセスポイントの全リストであり、前記全リストは前記アクセス端末において保持され、そしてネットワークにおける他の場所には保持されない。そのような実施例において、少なくともいくらかの時間に、稼働接続情報集合は複数の異なるアクセスポイントによって前記アクセス端末１０００に割当てられた複数の資源に対応する情報を含み、前記稼働接続情報集合は前記ネットワークにおける、いかなる場所での単一のノードにも保持されない複数の割当資源に関する情報を含む。
【０１４８】
図１１は様々な実施例による典型的なアクセスポイント１１００の図である。アクセスポイント１１０は、例えば、図６のサービス・アクセスポイントＡ ６０４である。アクセスポイント１１００は時々アクセス・ノード及び／または基地局と云われる。典型的なアクセスポイント１１００は様々な要素がデータ及び情報をやり取りするバス１１１２を介して連結された無線受信器モジュール１１０２、無線送信器モジュール１１０４、プロセッサー１１０６、ネットワークＩ／Ｏインタフェース・モジュール１１０８、及びメモリー１１１０を含む。メモリー１１１０はルーチン１１１８及びデータ／情報１１２０を含む。プロセッサー１１０６、例えば、ＣＰＵは複数のルーチン１１１８を実行し、そしてアクセスポイント１１００の動作を制御し、且つ方法、例えば、図８のフローチャート８００の方法を実施するためにメモリー１１１０内のデータ／情報１１２０を使用する。
【０１４９】
無線受信器モジュール１１０２、例えば、ＯＦＤＭ受信器はアクセスポイント１１００がアクセス端末から上り回線信号を受取る受信アンテナ１１１４に連結されている。受信上り回線信号は接続要求メッセージ及び資源更新要求メッセージを含む。無線受信器モジュール１１０２はアクセスポイント１１００が稼働接続を持つアクセス端末から接続要求を受取り、前記接続要求は前記アクセス端末が稼働接続を確立しようとする第二のアクセスポイントに対応する識別子を含む。受信接続要求１１３８は無線受信器モジュール１１０２によって受取られた接続要求の例である。典型的な受信接続要求１１３８はアクセス端末が新しい接続を確立しようとしつつあるアクセスポイントを識別するために使用される識別子１１４０、及び接続要求メッセージ１０４１を含む。いくつかの実施例において、受信接続要求１１３８は資源情報、例えば、接続要求メッセージの一部として含まれる資源情報１１４２及び／または接続要求メッセージと共に含まれる資源情報１１４３を含む。資源情報１１４２及び／または資源情報１１４３はアクセス端末が現在稼働接続を持つアクセスポイント（複数）、例えば、アクセスポイント１１００を含む一組のアクセスポイントによってアクセス端末に既に割当てられた複数の資源、例えば、複数のＭＡＣ資源を識別する情報を含む。
【０１５０】
無線送信器モジュール１１０４、例えば、ＯＦＤＭ送信器はアクセスポイント１１００がアクセス端末に下り回線信号を伝送する送信アンテナ１１１６に連結される。下り回線信号は転送接続応答メッセージ、例えば、受信接続応答メッセージ１１４４に対応する転送メッセージ、及び資源更新応答メッセージ、例えば、生成資源更新応答メッセージ１１４８を含む。
【０１５１】
いくつかの実施例において、多数のアンテナ及び／または多数のアンテナ素子が受信のために使用される。いくつかの実施例において、多数のアンテナ及び／または多数のアンテナ素子が送信のために使用される。いくつかの実施例において、少なくともいくつかの同じアンテナまたはアンテナ素子が送信及び受信の両方に使用される。いくつかの実施例において、アクセスポイントはＭＩＭＯ技術を使用する。
【０１５２】
ネットワークＩ／Ｏインタフェース・モジュール１１０８はアクセスポイントを他のネットワーク・ノード、例えば、複数の他のアクセスポイント、及び／または、インターネットに連結する。アクセスポイント１１００は受信接続要求の少なくとも一部分を、別のアクセスポイントとの稼働接続を持つために、ネットワークＩ／Ｏインタフェース・モジュール１１０８を介して別のアクセスポイントに転送する。アクセスポイント１１００はネットワークＩ／Ｏインタフェース・モジュール１１０８を介して別のアクセスポイントから接続応答メッセージを受取る。ネットワークＩ／Ｏインタフェース・モジュール１１０８は第二のアクセスポイントから接続応答メッセージ、例えば、受信接続応答メッセージ１１４４を受取る。
【０１５３】
ルーチン１１１８は通信ルーチン１１２２及び複数のアクセスポイント制御ルーチン１１２４を含む。通信ルーチン１１２２はアクセスポイントによって使用される様々な通信プロトコル、例えば、層２プロトコル、ＭＡＣ層プロトコル等を実施する。
【０１５４】
複数のアクセスポイント制御ルーチン１１２４は接続要求転送モジュール１１２６、接続応答転送モジュール１１２８、資源更新処理モジュール１１３０、資源割当モジュール１１３２、資源更新応答メッセージ生成モジュール１１３４、及びトンネリング・モジュール１１３６を含む。データ／情報１１２０は受信接続要求１１３８、受信接続応答メッセージ１１４４、受信資源更新要求メッセージ１１４６、生成資源更新応答メッセージ１１４８、稼働接続を持つアクセス端末を識別する情報１１５０、複数の他のアクセスポイントを識別する情報１１５２、トンネル情報１１５４及び資源割付情報１１５６を含む。稼働接続を持つ複数のアクセス端末を識別する情報１１５０は現在アクセスポイント１１００との稼働接続を持つ複数のアクセス端末のリストである。複数の他のアクセスポイントを識別する情報１１５２は接続要求に含まれる識別子、例えば、識別子１１４０を通信システムにおける特定のアクセスポイントと関連させる情報を含む。そのような情報１１５２は接続要求転送モジュール１１２６によって利用される。トンネル情報１１５４は、例えば、トンネル識別情報及びトンネル終了点と関連するアドレス指定情報を含むトンネル状態情報を含む。資源割付情報１１５６はアクセスポイント１１００によってアクセス端末に割当てられた複数の資源、例えば、複数のＭＡＣ資源を識別する情報を含む。
【０１５５】
接続要求転送モジュール１１２６は接続要求の少なくとも一部分を第二のアクセスポイントに転送する。いくつかの実施例において、接続要求の転送部分はメッセージを含み、そして接続要求の一部分の転送は転送接続要求メッセージの目的地を決定するために第二のアクセスポイントに対応する識別子を使用することを含む。様々な実施例において、前記アクセスポイント１１００によって前記アクセス端末に割当てられた資源を示す情報は前記第二のアクセスポイントに、例えば、接続要求の転送部分として、または接続要求の転送部分に付加して通信される。いくつかのそのような実施例において、アクセスポイント１１００によって割当てられた複数の資源を示す情報は、例えば、接続要求の転送部分として、または接続要求の転送部分に付加して、アクセス端末から受取られる接続要求に含まれる。他のいくつかの実施例において、アクセスポイント１１００によってアクセス端末に割当てられた複数の資源を示す情報は接続要求の転送部分と共に通信され、そしてアクセスポイント１１００によって提供される。
【０１５６】
転送接続要求メッセージは、いくつかの実施例において、アクセス端末識別子の一つ、及び要求を開始したアクセス端末に対応するアクセス端末アドレスを含む。
【０１５７】
接続応答転送モジュール１１２８は受信接続応答メッセージをアクセス端末に転送する。受信接続応答は、例えば、接続要求が向けられた第二のアクセスポイントから受信される。
【０１５８】
いくつかの実施例において、接続要求の前記部分はメッセージの形式であり、そして転送は接続要求メッセージを第二のアクセス・ノードへ送るために層２伝送トンネリングを使用して実行される。トンネリング・モジュール１１３６はトンネル動作、例えば、トンネル確立、トンネル用法及び／またはトンネル解消を制御する。様々な実施例において、接続応答メッセージはアクセスポイント１１００と第二のアクセスポイントとの間で層２伝送トンネルを介して受取られる。いくつかの実施例において、少なくともいくらかの時間の間に、接続要求部分と接続応答の両方はアクセスポイントの間にトンネルができる。
【０１５９】
接続応答メッセージは、いくつかの実施例において、第二のアクセスポイントによってアクセス端末に割当てられた複数のＭＡＣ資源を含む。いくつかのそのような実施例において、割当てられた複数のＭＡＣ資源は少なくとも一つの制御チャネル資源を含む。
【０１６０】
様々な実施例において、無線受信器モジュール１１０２はアクセスポイント１１００によってアクセス端末に割当てられた複数の資源の変更を要求するアクセス端末から資源要求更新要求メッセージを受取る。資源更新要求処理モジュール１１３０は受信資源更新要求メッセージ、例えば、受信資源更新要求メッセージ１１４６を処理する。資源割当モジュール１１３２（それは資源更新要求処理モジュールに応答する）は資源をアクセス端末に割当てる。様々な実施例において、資源割当モジュール１１３２は第二のアクセスポイントによってアクセス端末へ割当てられた複数の資源と一致するアクセス端末に複数の新しい資源を割当てる。資源更新報応答メッセージ生成モジュール１１３４は無線送信器モジュール１１０４によって伝送される資源更新応答メッセージ１１４８を生成する。生成資源更新応答メッセージ１１４８は、例えば、アクセスポイント１１００の資源割当モジュール１１３２によってアクセス端末へ割当てられていた複数の新しい資源を含む。
【０１６１】
図１２は様々な実施例による典型的なアクセスポイント１２００の図である。アクセスポイント１２００は、例えば、図６の新しいアクセスポイントｂ ６０６である。アクセスポイント１２００は時々アクセス・ノード及び／または基地局と云われる。典型的なアクセスポイント１２００は様々な要素がデータ及び情報をやり取りすうバス１２１２を介して連結された無線受信器モジュール１２０２、無線送信器モジュール１２０４、プロセッサー１２０６、ネットワークＩ／Ｏインタフェース・モジュール１２０８、及びメモリー１２１０を含む。メモリー１２１０は複数のルーチン１２１８及びデータ／情報１２２０を含む。プロセッサー１２０６、例えば、ＣＰＵは複数のルーチン１２１８を実行し、そしてアクセスポイント１２００の動作を制御し、且つ方法、例えば、図９のフローチャート９００の方法を実施するためにメモリー１２１０内のデータ／情報を使用する。
【０１６２】
無線受信器モジュール１２０２、例えば、ＯＦＤＭ受信器はアクセスポイント１２００が複数のアクセス端末から複数の上り回線信号を受取る受信アンテナ１２１４に連結される。無線送信器モジュール１２０４、例えば、ＯＦＤＭ送信器はアクセスポイント１２００が複数のアクセス端末に複数の下り回線信号を伝送する送信アンテナ１２１６に連結される。
【０１６３】
ネットワークＩ／Ｏインタフェース・モジュール１２０８はアクセスポイント１２００を複数の他のネットワーク・ノード、例えば、複数の他のアクセスポイント、及び／またはインターネットに連結する。ネットワークＩ／Ｏインタフェース・モジュール１２０８は別のアクセスポイント、例えば、アクセスポイント１１００から、アクセス端末がアクセスポイント１１００との接続を確立しようとすることを示すアクセスポイント１１００へ通信される、接続要求、例えば、受信接続要求１２４０を受取る。様々な実施例において、接続要求は：アクセス端末識別子、及びアクセス端末が包含される通信セッションのセッション情報を保持するデバイスに対応するアドレスのうちの一つを含む。ネットワークＩ／Ｏインタフェース・モジュール１２０８はまた接続応答、例えば、生成接続応答メッセージ１２４２を、接続を求めているアクセス端末へ転送する別のアクセスポイントへ通信する。ネットワークＩ／Ｏインタフェース・モジュール１２０８はまた接続を求めているアクセス端末に対応するセッション情報を保持するデバイスに向けた生成セッション情報要求メッセージ、例えば、メッセージ１２４４を伝送し、そしてネットワークＩ／Ｏインタフェース・モジュール１２０８はメッセージ通信セッション情報、例えば、セッション情報要求に応答するメッセージ１２４６を受取る。
【０１６４】
ルーチン１２１８は通信ルーチン１２２２及び複数のアクセスポイント制御ルーチン１２２４を含む。通信ルーチン１２２２はアクセスポイントによって使用される様々な通信プロトコル、例えば、層２プロトコル、ＭＡＣ層プロトコル等を実施する。
【０１６５】
複数のアクセスポイント制御ルーチン１２２４は接続応答生成モジュール１２２６、セッション情報モジュール１２２８、資源割当モジュール１２３４、資源通信モジュール１２３６及びトンネリング・モジュール１２３８を含む。データ／情報１２２０は受信接続要求１２４０、生成接続応答メッセージ１２４２、生成セッション情報要求メッセージ１２４４、受信メッセージ通信セッション情報１２４６、再生セッション情報１２４８、複数の他のアクセスポイントに対応する資源割当情報１２５０、資源割当情報１２５２、稼働接続を持つアクセス端末を識別する情報１２５４、複数の他のアクセス端末を識別する情報１２５６、及びトンネル情報１２５８を含む。稼働接続を持つ複数のアクセス端末を識別する情報１２５４は現在アクセスポイント１２００との稼働接続を持つ複数のアクセス端末のリストである。複数の他のアクセス端末を識別する情報１２５６は識別子を通信システムにおける特定のアクセスポイントと関連させる情報を含む。トンネル情報１２５８は、例えば、識別情報及びトンネル終了点と関連するアドレス指定情報を含む、例えば、トンネル状態の情報を含む。
【０１６６】
接続応答生成モジュール１２２６は接続応答メッセージ、例えば、生成接続応答メッセージ１２４２を生成する。
【０１６７】
セッション情報モジュール１２２８はアクセス端末が包含される通信セッションのセッション情報を検索する。セッション情報モジュール１２２８は要求モジュール１２３０及び情報再生モジュール１２３２を含む。要求モジュール１２３０はアクセス端末が包含される通信セッションのセッション情報を保持するデバイスからセッション情報を要求する。様々な実施例において、セッション情報を保持するデバイスはまたアクセスポイント、例えば、空中回線上でアクセス端末から接続要求を受取り、且つ接続要求をアクセス端末へ転送したアクセスポイントとは異なるかもしれず、そして時々異なる。生成セッション情報要求メッセージ１２４４はアクセス端末のセッション情報を保持するデバイス向けの要求モジュール１２３０の典型的な出力を表す。情報再生モジュール１２３２はアクセス端末のセッション情報を保持するデバイスからセッション情報を受取り、そして再生する。受信メッセージ通信セッション情報１２４６は情報再生モジュール１２３２への入力であり、一方、再生セッション情報１２４８はモジュール１２３２の出力である。
【０１６８】
資源割当モジュール１２３４、例えば、ＭＡＣ資源割当モジュールはアクセス端末が接続を持つアクセスポイント、例えば、アクセスポイント１１００に関してアクセス端末に現在割当てられた複数の資源、例えば、複数のＭＡＣ資源と一致する複数の資源、例えば、複数のＭＡＣ資源をアクセスポイント１２００におけるアクセス端末に割当てる。資源割当情報１２５２は資源割当モジュール１２３４の出力を表す。いくつかの実施例において、別のアクセスポイント（複数）、例えば、アクセスポイント１１００によって他のアクセス端末へ割当てられた複数の資源は他の点からの接続要求メッセージ、例えば、受信接続要求１２４０において受取られる。複数の他のアクセスポイント１２５０に対応する資源割当情報は受信接続要求１２４０において通信されたそのような再生情報を表す。いくつかの実施例において、資源割当モジュール１２３４はアクセスポイント１２００で割当てられた制御チャネルが別のアクセスポイント、例えば、アクセスポイント１１００で割当てられた制御チャネルと同じ形式になるように複数の資源を割当てる。様々な実施例において、資源割当モジュール１２３４は第一及び第二のアクセスポイントでアクセス端末に割当てられた制御チャネル資源の量が同じであるか、或いは実質的に同じであるように複数の資源を割当てる。
【０１６９】
資源通信モジュール１２３６は別のアクセスポイント、例えば、アクセスポイント１１００を通してメッセージをアクセス端末に送ることによって割当資源に関する情報をアクセス端末へ通信する。様々な実施例において、資源割当情報は生成接続応答メッセージの一部として含まれる。いくつかの実施例において、情報を通信することはアクセスポイント１２００と別のアクセスポイント、例えば、アクセスポイント１１００との間の層２トンネルにおいて別のアクセスポイント、例えば、アクセスポイント１１００へメッセージを送ることを含む。トンネリング・モジュール１２３８はトンネル動作、例えば、トンネル確立、トンネル用法及び／またはトンネル解消を制御する。
【０１７０】
様々な実施例において、アクセスポイントは図１１のアクセスポイント１１００に関して述べた特徴及び図１２のアクセスポイント１２００に関して述べた特徴の両方を含む。例えば、アクセスポイントは第一のアクセス端末として現在のサービス・アクセスポイントとして働くかもしれず、そして時々働き、そして第一のアクセス端末が新しい接続を確立しようとしている新しいアクセス端末に接続要求を中継する媒介として働いている。同時に、または異なる時間に、同じアクセスポイントは第二のアクセス端末に関して新しいアクセスポイントとして働いている。
【０１７１】
様々な実施例において、ここに述べたノードは一つ以上の方法、例えば、信号処理、メッセージ生成及び／または伝送ステップに対応する複数のステップを実行するために一つ以上のモジュールを使用して実施される。いくつかの典型的なステップは接続要求を伝送すること、接続応答を受取ること、アクセス端末が稼働接続を持つアクセスポイントを示す情報の集合を更新すること、接続要求を送ること、接続応答を送ること、資源割当等を決定すること、資源を要求すること、資源を更新すること等を含む。いくつかの実施例において、様々な特徴はモジュールを使用して実施される。そのようなモジュールはソフトウェア、ハードウェアまたはソフトウェアとハードウェアの組合せを使用して実施される。前述の多数の方法、もしくは方法ステップはマシン、例えば、追加のハードウェアを持つ、または無しの汎用コンピューターを制御するために、前述の方法の全てまたは一部を、例えば、一つ以上のノードにおいて実施するためにメモリー・デバイス、例えば、ＲＡＭ、フロッピー（登録商標）ディスク、コンパクト・ディスク、ＤＶＤ、等々といったマシン可読媒体に含まれるソフトウェアといったマシン実行可能な命令を使用して実施される。従って、特に、様々な実施例はマシン、例えば、プロセッサー及び関連するハードウェアに前述の方法の一つ以上のステップを実行させるためにマシン実行可能な命令を含むマシン可読媒体に関係する。
【０１７２】
いくつかの実施例において、一つ以上のデバイス、例えば、アクセス端末及び／またはアクセスポイントといった通信デバイスのプロセッサーまたはプロセッサー群、例えば、ＣＰＵは通信デバイスによって実行されるとして述べた方法のステップを実行するように構成される。プロセッサーの構成はプロセッサー構成を制御する一つ以上のモジュール、例えば、ソフトウェア・モジュールを使うことにより、そして／または暗唱ステップを実行し、且つ／またはプロセッサー構成を制御するプロセッサー内のハードウェア、例えば、ハードウェア・モジュールを含めることによって達成される。従って、全てではないがいくつかの実施例はプロセッサーが含まれるデバイスによって実行される様々な記述方法の各々のステップに対応するモジュールを含むプロセッサーを持つデバイス、例えば、通信デバイスに関係する。全てではないがいくつかの実施例において、デバイス、例えば、通信デバイスはプロセッサーが含まれるデバイスによって実行される様々な記述方法の各々のステップに対応するモジュールを含む。モジュールはソフトウェア及び／またはハードウェアを使用して実施される。
【０１７３】
上で述べた方法及び装置に関する数多くの追加の変更は前の記述を考慮して当業者には明白であろう。そのような変更は範囲内で考察されるべきである。様々な実施例の方法及び装置は、そして様々な実施例において、ＣＤＭＡ、直交周波数分割多重化（ＯＦＤＭ）、及び／またはアクセス・ノードと移動ノード（mobile nodes）との間の無線通信回線を提供するために使用される様々な他の形式の通信技術と共に使用される。いくつかの実施例において、アクセス・ノードはＯＦＤＭまたはＣＤＭＡを使用して移動ノードとの通信回線を確立する基地局として実施される。様々な実施例において、移動ノードは様々な実施例の方法を実施するために、ノート・パソコン、個人情報端末（ＰＤＡ）、または受信器／送信器回路及び論理及び／またはルーチンを含む他のポータブル・デバイスとして実施される。
【図面の簡単な説明】
【０１７４】
【図１】アクセス端末及び複数のアクセスポイントを含む通信ネットワークにおける典型的な現状の呼出の流れを例示する。
【図２】一実施例による多元アクセス無線通信システムを例示する。
【図３】典型的通信システムのブロック図である。
【図４】分配アクセス・ネットワーク（ＡＮ）アーキテクチャ及びアクセス端末（ＡＴ）を含む典型的なネットワークを例示する。
【図５】集中化ＡＮアーキテクチャ及びＡＴを含む典型的なネットワークを例示する。
【図６】アクセス端末及び複数のアクセスポイントを含む新奇の通信ネットワークにおける典型的な新奇な実施例における典型的な呼出の流れを例示する。
【図７】様々な実施例によるアクセス端末を動作させる典型的な方法のフローチャートである。
【図８】様々な実施例によるアクセスポイントを動作させる典型的な方法のフローチャートである。
【図９】様々な実施例によるアクセスポイントを動作させる典型的な方法のフローチャートである。
【図１０】様々な実施例による典型的なアクセス端末の図面である。
【図１１】様々な実施例による典型的なアクセスポイント、例えば、第一のアクセスポイントの図面である。
【図１２】様々な実施例による典型的なアクセスポイント、例えば、第二のアクセスポイントの図面である。
【誤訳訂正３】
【訂正対象書類名】図面
【訂正対象項目名】全図
【訂正方法】変更
【訂正の内容】
【図１】
2009540700.tif 000001
【図２】
2009540700.tif 000002
【図３】
2009540700.tif 000003
【図４】
2009540700.tif 000004
【図５】
2009540700.tif 000005
【図６】
2009540700.tif 000006
【図７】
2009540700.tif 000007
【図８】
2009540700.tif 000008
【図９】
2009540700.tif 000009
【図１０】
2009540700.tif 000010
【図１１】
2009540700.tif 000011
【図１２】
2009540700.tif 000012